(57)【要約】【課題】  デザインを施す対象物の外装を、その対象物が配されるエリア内に描かれたデザインを取り込んだものとすることができる画像形成装置を提供する。【解決手段】  画像形成装置は、対象物の外装表面のうち、平面部分、又は、展開することにより平面となる部分の外縁形状を記憶している記憶部１０５、対象物が配されるべきエリアの内装に描かれたデザインを取得する無線通信部１１６、記憶部１０５から外縁形状を読み出し、読み出した外縁形状を平面上に展開し、展開された形状の枠内に、取得したデザインを描いて、外装画像を生成する生成部１１２ｂ及び外装画像をシート上に印刷するプリンター部を備える。【選択図】図３
2020121489.tif 000002
【特許請求の範囲】
【請求項１】
デザインを施すべき対象物に貼り付けるため、シート上に当該デザインを印刷する印刷装置であって、
前記対象物の外装表面のうち、平面部分、又は、展開することにより平面となる部分の外縁形状を記憶している記憶手段と、
前記対象物が配されるべきエリアの内装に描かれたデザインを取得するデザイン取得手段と、
前記記憶手段から前記外縁形状を読み出し、読み出した前記外縁形状を平面上に展開し、展開された形状の枠内に、取得した前記デザインを描いて、外装画像を生成する生成手段と、
前記外装画像をシート上に印刷する印刷手段と
を備えることを特徴とする印刷装置。
【請求項２】
前記デザイン取得手段は、
周囲を撮影する撮影手段と、
前記印刷装置が前記エリアの内部に設置された場合、前記撮影手段により撮影された写真画像から、一のデザインを特定して、抽出する抽出手段とを含む
ことを特徴とする請求項１に記載の印刷装置。
【請求項３】
前記抽出手段は、前記写真画像から一つの模様又は一つの色を、デザインとして、抽出し、
前記生成手段は、平面上に展開された前記形状の枠内に、抽出した前記模様又は前記色を描く
ことを特徴とする請求項２に記載の印刷装置。
【請求項４】
前記抽出手段は、前記写真画像において、最も広い面積を占める前記一つの模様又は前記一つの色を抽出する
ことを特徴とする請求項３に記載の印刷装置。
【請求項５】
前記写真画像には、デザインとして、複数の模様又は複数の色が表され、
前記抽出手段は、前記写真画像に表された複数の模様又は複数の色のうち、占める面積がより広い上位から、所定数の模様候補又は所定数の色候補を抽出し、
さらに、利用者の操作により、所定数の前記模様候補又は所定数の前記色候補から、一つの模様又は一つの色の指定を受け付ける入力手段を備え、
前記抽出手段は、前記入力手段により指定された前記一つの模様又は前記一つの色を抽出する
ことを特徴とする請求項３に記載の印刷装置。
【請求項６】
前記抽出手段は、一つの模様を抽出し、
さらに、利用者の操作により、一つの色の指定を受け付ける入力手段を備え、
前記生成手段は、前記入力手段により、指定された前記色を、平面上に展開された前記形状の枠内に塗布し、塗布色の上に、前記抽出手段により、抽出された前記模様を描く
ことを特徴とする請求項３に記載の印刷装置。
【請求項７】
さらに、複数の色をそれぞれ示す複数の色見本を記憶している記憶手段を備え、
前記入力手段は、利用者の操作により、複数の色見本の中から、一つの色の指定を受け付ける
ことを特徴とする請求項６に記載の印刷装置。
【請求項８】
前記抽出手段は、一つの模様を抽出し、
さらに、読取対象面を読み取る画像読取手段を備え、
前記生成手段は、色が表された原稿が読取面に載置された場合、前記画像読取手段により読み取られた読取画像に表された色を、平面上に展開された前記形状の枠内に塗布し、塗布色の上に、前記抽出手段により、抽出された前記模様を描く
ことを特徴とする請求項３に記載の印刷装置。
【請求項９】
前記抽出手段は、一つの色を抽出し、
さらに、利用者の操作により、一つの模様の指定を受け付ける入力手段を備え、
前記生成手段は、前記抽出手段により、抽出された前記色を、平面上に展開された前記形状の枠内に塗布し、塗布色の上に、前記入力手段により、指定された前記模様を描く
ことを特徴とする請求項３に記載の印刷装置。
【請求項１０】
さらに、複数の模様をそれぞれ示す複数の模様見本を記憶している記憶手段を備え、
前記入力手段は、利用者の操作により、複数の模様見本の中から、一つの模様の指定を受け付ける
ことを特徴とする請求項９に記載の印刷装置。
【請求項１１】
前記抽出手段は、一つの色を抽出し、
さらに、読取対象面を読み取る画像読取手段を備え、
前記生成手段は、前記抽出手段により抽出された前記色を、平面上に展開された前記形状の枠内に塗布し、塗布色の上に、模様が表された原稿が読取面に載置された場合、前記画像読取手段により読み取られた読取画像に表された前記模様を描く
ことを特徴とする請求項３に記載の印刷装置。
【請求項１２】
さらに、撮影装置により撮影された写真画像を受信する受信手段を備え、
前記撮影装置は、
周囲を撮影する撮影手段と、
前記撮影装置が前記エリアの内部に設置された場合、前記撮影手段により、撮影された写真画像を出力する出力手段とを備え、
前記デザイン取得手段は、前記受信手段により受信した前記写真画像から、一の前記デザインを特定して、抽出する抽出手段を含む
ことを特徴とする請求項１に記載の印刷装置。
【請求項１３】
前記出力手段は、前記撮影手段により撮影された前記写真画像を、無線により送信する第一無線通信手段を含み、
前記受信手段は、前記写真画像を、無線により、受信する第二無線通信手段を含む
ことを特徴とする請求項１２に記載の印刷装置。
【請求項１４】
前記撮影装置に、利用者により、記録媒体が装着され、
前記出力手段は、前記撮影手段により撮影した前記写真画像を、前記記録媒体に書き込む書込手段を含み、
前記写真画像が書き込まれた前記記録媒体は、利用者により、前記撮影装置から取り外され、取り外された前記記録媒体は、前記印刷装置に装着され、
前記受信手段は、前記記録媒体から前記写真画像を読み出す読出手段を含む
ことを特徴とする請求項１２に記載の印刷装置。
【請求項１５】
さらに、利用者の操作により、前記記憶手段に記憶された前記外縁形状の指定を受け付ける入力手段を備え、
前記生成手段は、指定を受け付けた前記外縁形状を平面上に展開する
ことを特徴とする請求項１に記載の印刷装置。
【請求項１６】
前記対象物の外装表面のうち、前記外縁形状に相当する部分には、前記外装画像が印刷されたシートを貼り付けるための凹部が設けられている
ことを特徴とする請求項１に記載の印刷装置。
【請求項１７】
前記対象物は、前記印刷装置である
ことを特徴とする請求項１に記載の印刷装置。
【請求項１８】
さらに、利用者の頭部に装着され、撮影及び表示を行う眼鏡型表示装置に対して、取得した前記外縁形状及び前記デザインを送信する第一通信手段を備え、
前記眼鏡型表示装置は、
前記外縁形状及び前記デザインを受信する第二通信手段と、
周囲を撮影する撮影手段と、
前記眼鏡型表示装置が前記エリアの内部に設置された場合、前記撮影手段により撮影された写真画像内で前記対象物が表された画像部分において、受信した前記外縁形状に相当する形状の枠内に、受信した前記デザインを上書きする描画手段と、
前記デザインが上書きされた前記写真画像を表示する表示手段と、
利用者から、前記表示手段により表示された前記写真画像に表されたデザインを承認するか否かの入力を受け付ける入力手段とを備え、
前記入力手段により、デザインを承認する旨の入力を受け付けた場合、前記第二通信手段は、デザインの承認を示す承認信号を送信し、
前記第一通信手段は信号を受信し、
受信した信号が前記承認信号である場合、前記生成手段は、前記外装画像を生成する
ことを特徴とする請求項１に記載の印刷装置。
【請求項１９】
前記入力手段により、デザインを承認しない旨の入力を受け付けた場合、前記描画手段は、前記デザインを他のデザインに変更し、変更された前記デザインを前記写真画像に上書きし、
前記表示手段は、変更された前記デザインが上書きされた写真画像を表示し、
前記入力手段は、さらに、利用者から、前記表示手段により表示された前記写真画像に表されたデザインを承認するか否かの入力を受け付け、
前記入力手段により、デザインを承認する旨の入力を受け付けた場合、前記第二通信手段は、デザインの承認を示す承認信号及び変更されたデザインを識別する識別情報を送信し、
前記第一通信手段は、信号を受信し、
受信した信号に前記承認信号と前記識別情報とが含まれる場合、前記生成手段は、前記デザイン取得手段により取得した前記デザインを、受信した識別情報により識別されるデザインに変更し、変更された前記デザインを、展開された形状の枠内に描く
ことを特徴とする請求項１８に記載の印刷装置。
【請求項２０】
デザインを施すべき対象物に貼り付けるため、シート上に当該デザインを印刷する印刷装置であって、
読取対象面を読み取る画像読取手段と、
前記対象物が配されるべきエリアの内装に描かれたデザインを取得するデザイン取得手段と、
読取面に前記対象物が載置された場合、前記画像読取手段により読み取られた読取画像から、前記対象物の外装の形状を抽出し、抽出した形状の枠内に、取得した前記デザインを描いて、外装画像を生成する生成手段と、
前記外装画像をシート上に印刷する印刷手段と
を備えることを特徴とする印刷装置。
【請求項２１】
デザインを施すべき対象物に貼り付けるため、シート上に当該デザインを印刷する印刷装置を制御するための制御方法であって、
前記印刷装置は、前記対象物の外装表面のうち、平面部分、又は、展開することにより平面となる部分の外縁形状を記憶している記憶手段を備え、
前記制御方法は、
前記対象物が配されるべきエリアの内装に描かれたデザインを取得するデザイン取得ステップと、
前記記憶手段から前記外縁形状を読み出し、読み出した前記外縁形状を平面上に展開し、展開された形状の枠内に、取得した前記デザインを描いて、外装画像を生成する生成ステップと、
前記外装画像をシート上に印刷する印刷ステップと
を含むことを特徴とする制御方法。
【請求項２２】
デザインを施すべき対象物に貼り付けるため、シート上に当該デザインを印刷する印刷装置を制御するためのコンピュータープログラムであって、
前記印刷装置は、前記対象物の外装表面のうち、平面部分、又は、展開することにより平面となる部分の外縁形状を記憶している記憶手段を備え、
コンピューターである前記印刷装置に、
前記対象物が配されるべきエリアの内装に描かれたデザインを取得させるデザイン取得ステップと、
前記記憶手段から前記外縁形状を読み出し、読み出した前記外縁形状を平面上に展開し、展開された形状の枠内に、取得した前記デザインを描いて、外装画像を生成する生成ステップと、
前記外装画像をシート上に印刷させる印刷ステップと
を実行させるためのコンピュータープログラム。
【発明の詳細な説明】
【技術分野】
【０００１】
デザインを施す対象物に貼り付けるため、シート上に当該デザインを印刷する技術に関する。
【背景技術】
【０００２】
従来、画像形成装置は、オフィスに設置されることを想定してデザインされており、多くのオフィスの内装に調和するように、白色、黒色、グレー等、単一色の落ち着いた色彩を基調として、外装されている。
【先行技術文献】
【特許文献】
【０００３】
【特許文献１】特開２００２−１３２１６３号公報
【特許文献２】特開平１０−２４４７３２号公報
【特許文献３】特開平９−２１１９２３号公報
【発明の概要】
【発明が解決しようとする課題】
【０００４】
しかし、白色、黒色、グレー等の落ち着いた色彩を用いて、外装された画像形成装置を、イベント会場やデザイン事務所等のように、画像形成装置の色彩とは異なる色彩等のデザイン、例えば、固有の模様や色彩が施された室内等に設置すると、画像形成装置の外装の色彩が、この室内に施された模様や色彩と調和しない。このため、外装に、固有の模様や色彩を取り入れた画像形成装置の製造要望がある。
【０００５】
しかし、この要望に応えるため、それぞれの固有の模様や色彩を外装に取り入れて、画像形成装置を製造すると、それぞれの模様や色彩毎に、外装部材を製造しなければならず、部品点数が増え、製造コストが上昇するという問題がある。
【０００６】
本発明は、この問題を解決するため、デザインを施す対象物の外装を、その対象物が配されるエリアの内装に描かれたデザインを取り込んだものとすることができる印刷装置、制御方法、コンピュータープログラムを提供することを目的とする。
【課題を解決するための手段】
【０００７】
上記目的を達成するため、本発明は、デザインを施すべき対象物に貼り付けるため、シート上に当該デザインを印刷する印刷装置であって、前記対象物の外装表面のうち、平面部分、又は、展開することにより平面となる部分の外縁形状を記憶している記憶手段と、前記対象物が配されるべきエリアの内装に描かれたデザインを取得するデザイン取得手段と、前記記憶手段から前記外縁形状を読み出し、読み出した前記外縁形状を平面上に展開し、展開された形状の枠内に、取得した前記デザインを描いて、外装画像を生成する生成手段と、前記外装画像をシート上に印刷する印刷手段とを備えることを特徴とする。
【０００８】
ここで、前記デザイン取得手段は、周囲を撮影する撮影手段と、前記印刷装置が前記エリアの内部に設置された場合、前記撮影手段により撮影された写真画像から、一のデザインを特定して、抽出する抽出手段とを含む、としてもよい。
【０００９】
ここで、前記抽出手段は、前記写真画像から一つの模様又は一つの色を、デザインとして、抽出し、前記生成手段は、平面上に展開された前記形状の枠内に、抽出した前記模様又は前記色を描く、としてもよい。
【００１０】
ここで、前記抽出手段は、前記写真画像において、最も広い面積を占める前記一つの模様又は前記一つの色を抽出してもよい。
【００１１】
ここで、前記写真画像には、デザインとして、複数の模様又は複数の色が表され、前記抽出手段は、前記写真画像に表された複数の模様又は複数の色のうち、占める面積がより広い上位から、所定数の模様候補又は所定数の色候補を抽出し、さらに、利用者の操作により、所定数の前記模様候補又は所定数の前記色候補から、一つの模様又は一つの色の指定を受け付ける入力手段を備え、前記抽出手段は、前記入力手段により指定された前記一つの模様又は前記一つの色を抽出してもよい。
【００１２】
ここで、前記抽出手段は、一つの模様を抽出し、さらに、利用者の操作により、一つの色の指定を受け付ける入力手段を備え、前記生成手段は、前記入力手段により、指定された前記色を、平面上に展開された前記形状の枠内に塗布し、塗布色の上に、前記抽出手段により、抽出された前記模様を描く、としてもよい。
【００１３】
ここで、さらに、複数の色をそれぞれ示す複数の色見本を記憶している記憶手段を備え、前記入力手段は、利用者の操作により、複数の色見本の中から、一つの色の指定を受け付ける、としてもよい。
【００１４】
ここで、前記抽出手段は、一つの模様を抽出し、さらに、読取対象面を読み取る画像読取手段を備え、前記生成手段は、色が表された原稿が読取面に載置された場合、前記画像読取手段により読み取られた読取画像に表された色を、平面上に展開された前記形状の枠内に塗布し、塗布色の上に、前記抽出手段により、抽出された前記模様を描く、としてもよい。
【００１５】
ここで、前記抽出手段は、一つの色を抽出し、さらに、利用者の操作により、一つの模様の指定を受け付ける入力手段を備え、前記生成手段は、前記抽出手段により、抽出された前記色を、平面上に展開された前記形状の枠内に塗布し、塗布色の上に、前記入力手段により、指定された前記模様を描く、としてもよい。
【００１６】
ここで、さらに、複数の模様をそれぞれ示す複数の模様見本を記憶している記憶手段を備え、前記入力手段は、利用者の操作により、複数の模様見本の中から、一つの模様の指定を受け付ける、としてもよい。
【００１７】
ここで、前記抽出手段は、一つの色を抽出し、さらに、読取対象面を読み取る画像読取手段を備え、前記生成手段は、前記抽出手段により抽出された前記色を、平面上に展開された前記形状の枠内に塗布し、塗布色の上に、模様が表された原稿が読取面に載置された場合、前記画像読取手段により読み取られた読取画像に表された前記模様を描く、としてもよい。
【００１８】
ここで、さらに、撮影装置により撮影された写真画像を受信する受信手段を備え、前記撮影装置は、周囲を撮影する撮影手段と、前記撮影装置が前記エリアの内部に設置された場合、前記撮影手段により、撮影された写真画像を出力する出力手段とを備え、前記デザイン取得手段は、前記受信手段により受信した前記写真画像から、一の前記デザインを特定して、抽出する抽出手段を含む、としてもよい。
【００１９】
ここで、前記出力手段は、前記撮影手段により撮影された前記写真画像を、無線により送信する第一無線通信手段を含み、前記受信手段は、前記写真画像を、無線により、受信する第二無線通信手段を含む、としてもよい。
【００２０】
ここで、前記撮影装置に、利用者により、記録媒体が装着され、前記出力手段は、前記撮影手段により撮影した前記写真画像を、前記記録媒体に書き込む書込手段を含み、前記写真画像が書き込まれた前記記録媒体は、利用者により、前記撮影装置から取り外され、取り外された前記記録媒体は、前記印刷装置に装着され、前記受信手段は、前記記録媒体から前記写真画像を読み出す読出手段を含む、としてもよい。
【００２１】
ここで、さらに、利用者の操作により、前記記憶手段に記憶された前記外縁形状の指定を受け付ける入力手段を備え、前記生成手段は、指定を受け付けた前記外縁形状を平面上に展開してもよい。
【００２２】
ここで、前記対象物の外装表面のうち、前記外縁形状に相当する部分には、前記外装画像が印刷されたシートを貼り付けるための凹部が設けられている、としてもよい。
【００２３】
ここで、前記対象物は、前記印刷装置である、としてもよい。
【００２４】
ここで、さらに、利用者の頭部に装着され、撮影及び表示を行う眼鏡型表示装置に対して、取得した前記外縁形状及び前記デザインを送信する第一通信手段を備え、前記眼鏡型表示装置は、前記外縁形状及び前記デザインを受信する第二通信手段と、周囲を撮影する撮影手段と、前記眼鏡型表示装置が前記エリアの内部に設置された場合、前記撮影手段により撮影された写真画像内で前記対象物が表された画像部分において、受信した前記外縁形状に相当する形状の枠内に、受信した前記デザインを上書きする描画手段と、前記デザインが上書きされた前記写真画像を表示する表示手段と、利用者から、前記表示手段により表示された前記写真画像に表されたデザインを承認するか否かの入力を受け付ける入力手段とを備え、前記入力手段により、デザインを承認する旨の入力を受け付けた場合、前記第二通信手段は、デザインの承認を示す承認信号を送信し、前記第一通信手段は信号を受信し、受信した信号が前記承認信号である場合、前記生成手段は、前記外装画像を生成してもよい。
【００２５】
ここで、前記入力手段により、デザインを承認しない旨の入力を受け付けた場合、前記描画手段は、前記デザインを他のデザインに変更し、変更された前記デザインを前記写真画像に上書きし、前記表示手段は、変更された前記デザインが上書きされた写真画像を表示し、前記入力手段は、さらに、利用者から、前記表示手段により表示された前記写真画像に表されたデザインを承認するか否かの入力を受け付け、前記入力手段により、デザインを承認する旨の入力を受け付けた場合、前記第二通信手段は、デザインの承認を示す承認信号及び変更されたデザインを識別する識別情報を送信し、前記第一通信手段は、信号を受信し、受信した信号に前記承認信号と前記識別情報とが含まれる場合、前記生成手段は、前記デザイン取得手段により取得した前記デザインを、受信した識別情報により識別されるデザインに変更し、変更された前記デザインを、展開された形状の枠内に描く、としてもよい。
【００２６】
また、本発明は、デザインを施すべき対象物に貼り付けるため、シート上に当該デザインを印刷する印刷装置であって、読取対象面を読み取る画像読取手段と、前記対象物が配されるべきエリアの内装に描かれたデザインを取得するデザイン取得手段と、読取面に前記対象物が載置された場合、前記画像読取手段により読み取られた読取画像から、前記対象物の外装の形状を抽出し、抽出した形状の枠内に、取得した前記デザインを描いて、外装画像を生成する生成手段と、前記外装画像をシート上に印刷する印刷手段とを備えることを特徴とする。
【００２７】
また、本発明は、デザインを施すべき対象物に貼り付けるため、シート上に当該デザインを印刷する印刷装置を制御するための制御方法であって、前記印刷装置は、前記対象物の外装表面のうち、平面部分、又は、展開することにより平面となる部分の外縁形状を記憶している記憶手段を備え、前記制御方法は、前記対象物が配されるべきエリアの内装に描かれたデザインを取得するデザイン取得ステップと、前記記憶手段から前記外縁形状を読み出し、読み出した前記外縁形状を平面上に展開し、展開された形状の枠内に、取得した前記デザインを描いて、外装画像を生成する生成ステップと、前記外装画像をシート上に印刷する印刷ステップとを含むことを特徴とする。
【００２８】
また、本発明は、デザインを施すべき対象物に貼り付けるため、シート上に当該デザインを印刷する印刷装置を制御するためのコンピュータープログラムであって、前記印刷装置は、前記対象物の外装表面のうち、平面部分、又は、展開することにより平面となる部分の外縁形状を記憶している記憶手段を備え、コンピューターである前記印刷装置に、前記対象物が配されるべきエリアの内装に描かれたデザインを取得させるデザイン取得ステップと、前記記憶手段から前記外縁形状を読み出し、読み出した前記外縁形状を平面上に展開し、展開された形状の枠内に、取得した前記デザインを描いて、外装画像を生成する生成ステップと、前記外装画像をシート上に印刷させる印刷ステップとを実行させるためのコンピュータープログラムであることを特徴とする。
【発明の効果】
【００２９】
上記の構成によると、デザインを施す対象物の外装を、その対象物が配されるエリアの内装に描かれたデザインを取り込んだものとすることができる、という優れた効果を奏する。
【図面の簡単な説明】
【００３０】
【図１】（ａ）実施の形態に係る画像形成システム１の構成を示すシステム構成図である。（ｂ）画像形成装置１０の概略構成を示す図である。
【図２】（ａ）画像形成装置１０の外装部材３２の表面に凹設された凹部４０に、シート４１を貼り付ける状態を示す斜視図である。（ｂ）図２（ａ）のＡ−Ａ線に沿って、外装部材３２を切断した断面を矢印方向から見て示す矢視断面図である。
【図３】主制御部１００の構成を示すブロック図である。
【図４】メニュー遷移テーブル２１１のデータ構造を示す。
【図５】（ａ）装置リスト２２１のデータ構造を示す。（ｂ）一例としての装置画像２３１を示す。（ｃ）別の一例としての装置画像２３２を示す。
【図６】（ａ）外装部材リスト２４１のデータ構造を示す。（ｂ）一つの装置画像上における一つの外装部品の配置を示す。
【図７】デザインリスト２５１のデータ構造を示す。
【図８】（ａ）〜（ｄ）一例としてのデザイン画像２６１〜２６４を示す。
【図９】一例としての外装スキャン画像２７１を示す。
【図１０】一例としてのデザインスキャン画像２７２を示す。
【図１１】（ａ）、（ｂ）一例としての写真画像２９５、２９６を示す。（ｃ）、（ｄ）写真画像２９５、２９６内の同一色のブロック２９５ａ、２９６ａを示す。
【図１２】（ａ）〜（ｃ）一例としての外装画像２８１〜２８３を示す。
【図１３】操作パネル１９に表示される初期のメニュー画面４０１、ステッカー作成のメニュー画面４１１及び装置メニューを表した画面４２１を示す。
【図１４】操作パネル１９に表示される外装部材を選択するための画面４３１、スキャンを促す画面４４１及びスキャン結果を確認するための画面４５１を示す。
【図１５】操作パネル１９に表示されるスキャンを促す画面４６１、スキャン結果を確認するための画面４７１及びデザインメニューを表した画面４８１を示す。
【図１６】携帯端末３００の構成を示すブロック図である。
【図１７】携帯端末３００に表示されるメニュー画面３４１及び写真を選択するための画面３５１を示す。
【図１８】メニュー画面を表示後、プリントを実行するまでの、処理概要を示すフローチャートである。
【図１９】外装選択の動作を示すフローチャートである。
【図２０】外装スキャンの動作を示すフローチャートである。
【図２１】デザインスキャンの動作を示すフローチャートである。
【図２２】デザイン選択の動作を示すフローチャートである。
【図２３】基調色の抽出の動作を示すフローチャートである。
【図２４】プリント実行の動作を示すフローチャートである。
【図２５】携帯端末３００から画像形成装置１０への写真の送信の動作を示すフローチャートである。
【図２６】（ａ）変形例（１）の画像形成システム１ａの構成を示すシステム構成図である。（ｂ）ヘッドマウントディスプレィ５００に表示される画像の一例を示す。
【図２７】ヘッドマウントディスプレィ５００の構成を示すブロック図である。
【図２８】画像形成システム１ａにおける動作を示すフローチャートである。図２９へ続く。
【図２９】画像形成システム１ａにおける動作を示すフローチャートである。
【発明を実施するための形態】
【００３１】
１  実施の形態
本発明に係る一の実施の形態としての画像形成システム１について図面を参照しながら説明する。
【００３２】
１．１  画像形成システム１
画像形成システム１は、図１（ａ）に示すように、画像形成装置１０（印刷装置）及び携帯端末３００（撮影装置）から構成されている。
【００３３】
画像形成装置１０及び携帯端末３００は、それぞれ、無線ＬＡＮ機能を備えている。ここで、無線ＬＡＮは、例えば、ＩＥＥＥ８０２．１１ａ、ｂ、ｎ、ａｃ等により規定された無線を用いる通信である。携帯端末３００は、利用者の操作により、内蔵するカメラにより、画像形成装置１０が設置されたエリアの内装を撮影して写真画像を生成する。ここで、エリアとは、イベント会場、デザイン事務所等の室内等である。このエリアの内装である内壁、天井、床、オフィス家具の表面等には、固有のデザインが描かれている。ここで、デザインは、模様、色、又は、模様及び色の組合せから構成される。携帯端末３００は、生成した写真画像を無線ＬＡＮにより、画像形成装置１０に対して送信する。
【００３４】
画像形成装置１０は、無線ＬＡＮにより、携帯端末３００から写真画像を受信し、受信した写真画像から、基調デザイン（後述する）を抽出する。画像形成装置１０は、利用者から当該画像形成装置１０、他の装置、又は、物品等（対象物）の外装部材の指定を受け付ける。画像形成装置１０は、指定された外装部材の外縁形状を取得し、取得した外縁形状を平面上に展開し、展開された形状内に、抽出した基調デザインを描いて外装画像を生成し、生成した外装画像をシート上に印刷する。利用者は、シート（ステッカー）から外装画像を切り取り、切り取った外装画像を当該画像形成装置１０、他の装置、又は、物品等の外装部材に貼り付ける。
【００３５】
このように、画像形成装置１０は、デザインを施すべき対象物に貼り付けるため、シート上に当該デザインを印刷する。
【００３６】
１．２  画像形成装置１０
画像形成装置１０は、スキャナー、プリンター及びコピー機の機能を有するタンデム型のカラー複合機（ＭＦＰ：MultiFunction Peripheral）である。
【００３７】
画像形成装置１０は、図１（ａ）及び（ｂ）に示すように、筐体下部に、シートを収容し、給送する給紙部１３が設けられている。給紙部１３の上方には、電子写真方式により画像を形成するプリンター部１２（印刷手段）が設けられている。プリンター部１２のさらに上方に、原稿面を読み取って画像データを生成するイメージリーダー部１１（画像読取手段）及び操作画面を表示し、利用者から入力操作を受け付ける操作パネル１９（入力手段）が設けられている。
【００３８】
画像形成装置１０の筐体の正面側は、図１（ａ）に示すように、外装部材３１、３２、３３、３４、３５、・・・により覆われており、外装部材３１、３２、３３、３４、３５、・・・の表面には、それぞれ、デザインが施されたシートが貼り付けられている。これらのデザインが施されたシートは、後述するように、画像形成装置１０により印刷がされたものである。
【００３９】
イメージリーダー部１１は、自動原稿搬送装置を備えている。自動原稿搬送装置は、原稿トレイにセットされた原稿を１枚ずつ原稿ガラス板（読取面）へ搬送する。イメージリーダー部１１は、自動原稿搬送装置によって原稿ガラス板の所定位置に搬送された原稿の画像をスキャナーの移動によってスキャンし（読み取り）、レッド（Ｒ）、グリーン（Ｇ）、ブルー（Ｂ）の多値デジタル信号からなる画像データを得る。イメージリーダー部１１は、得られた画像データを画像メモリ１０４に書き込む。
【００４０】
イメージリーダー部１１で得られた各色成分の画像データは、後述する主制御部１００において各種のデータ処理を受け、更にイエロー（Ｙ）、マゼンタ（Ｍ）、シアン（Ｃ）、ブラック（Ｋ）の各再現色の画像データに変換される。
【００４１】
プリンター部１２は、中間転写ベルト、中間転写ベルトを張架する駆動ローラー、従動ローラー、バックアップローラー、中間転写ベルトに対向して中間転写ベルトの走行方向Ｘに沿って所定間隔で配置された複数の作像部、定着部、主制御部１００等からなる。
【００４２】
各作像部は、像担持体である感光体ドラム、感光体ドラム表面を露光走査するためのＬＥＤアレイ、帯電チャージャー、現像器、クリーナー及び１次転写ローラーなどからなる。
【００４３】
給紙部１３は、サイズの異なるシートを収容する複数の給紙カセット及び各給紙カセットからシートを搬送路に繰り出すためのピックアップローラー、並びに、シートを載置するための手差しトレイ及び手差しトレイからシートを搬送路に繰り出すためのピックアップローラーから構成されている。
【００４４】
作像部のそれぞれにおいて、各感光体ドラムは、帯電チャージャーにより一様に帯電され、ＬＥＤアレイにより露光され、感光体ドラムの表面に静電潜像が形成される。各静電潜像は、それぞれ各色の現像器により現像され、各感光体ドラムの表面にＹ〜Ｋ色のトナー像が形成され、トナー像は、中間転写ベルトの裏面側に配設された各１次転写ローラーの静電作用により、中間転写ベルトの表面上に順次転写される。
【００４５】
一方、給紙部１３のいずれかの給紙カセット又は手差しトレイから、各作像部による作像動作に合わせて、シートが給送され、２次転写ローラーとバックアップローラーとが中間転写ベルトを挟んで対向する２次転写位置へと搬送路上を搬送され、２次転写位置で、２次転写ローラーの静電的作用により、中間転写ベルト上のＹ〜Ｋ色のトナー像がシートへ２次転写される。Ｙ〜Ｋ色のトナー像が２次転写されたシートは、さらに定着部まで搬送される。
【００４６】
シートの表面のトナー像は、定着部の加熱ローラーとこれに圧接された加圧ローラーとの間に形成される定着ニップを通過する際に、加熱及び加圧により、シートの表面に融着して定着され、シートは、定着部を通過した後、排出トレイへ送出される。
【００４７】
このようにして、プリンター部１２は、例えば、後述する外装画像をシート上に印刷する。
【００４８】
操作パネル１９には、液晶表示板などで構成される表示面２０が設けられ、利用者によって設定された内容や各種のメッセージを表示する。操作パネル１９は、利用者からの、コピー開始の指示、コピー枚数の設定、複写条件の設定、データの出力先の設定などを受け付け、受け付けた内容を主制御部１００に通知する。
【００４９】
１．３  外装部材
画像形成装置１０の筐体の正面側を覆う外装部材３２には、図２（ａ）及び（ｂ）に示すように、外装部材３２のほぼ全面に、枡形に凹部４０が凹設されており、凹部４０の矩形状の底面４０ａには、底面４０ａの形状と同一であり、デザインが施されたシート４１が接着剤により貼り付けられる。図２（ｂ）に示すように、凹部４０の深さは、シート４１の厚みと略同一である。
【００５０】
このように、凹部４０を凹設しておくことにより、外装部材３２の表面にシートを貼り付けたときに、外装部材３２の表面における段差を最小化することができる。
【００５１】
画像形成装置１０の筐体の正面側を覆うその他の外装部材３１、３３、３４、３５、・・・についても、外装部材３２と同様に、凹部が凹設され、各凹部に、デザインを施したシートが貼り付けられる。
【００５２】
１．４  主制御部１００
主制御部１００は、図３に示すように、ＣＰＵ１０１、ＲＯＭ１０２、ＲＡＭ１０３、画像メモリ１０４、記憶部１０５（記憶手段）、画像処理部１０６、ネットワーク通信部１０７、プリンター制御部１０８、スキャナー制御部１０９、入出力部１１０、表示制御部１１１、外装画像処理部１１２及び無線通信部１１６（デザイン取得手段、受信手段、第一通信手段、第二無線通信手段）等から構成されている。無線通信部１１６は、無線通信制御部１１３、無線通信回路１１４及びアンテナ１１５を含んでいる。
【００５３】
主制御部１００は、スキャンジョブ、コピージョブ又はプリントジョブ等に従って、画像メモリ１０４、記憶部１０５、画像処理部１０６、ネットワーク通信部１０７、プリンター制御部１０８、スキャナー制御部１０９、入出力部１１０、表示制御部１１１、外装画像処理部１１２、無線通信制御部１１３等を統一的に制御する。
【００５４】
（１）ＣＰＵ１０１、ＲＯＭ１０２、ＲＡＭ１０３及び画像メモリ１０４
ＲＡＭ１０３は、半導体メモリから構成され、各種の制御変数などを一時記憶すると共に、ＣＰＵ１０１によるプログラム実行時のワークエリアを提供する。
【００５５】
ＲＯＭ１０２は、半導体メモリから構成され、予め、スキャンジョブ、コピージョブ又はプリントジョブ等の各種ジョブを実行させるための制御プログラムなどを記憶している。
【００５６】
ＣＰＵ１０１は、フェッチ部、解読部、実行部、レジスタファイル、命令カウンタなどから構成されている。フェッチ部は、ＲＯＭ１０２に記憶されている制御プログラムから、制御プログラムに含まれる各命令コードを１個ずつ読み出す。解読部は、読み出した命令コードを解読する。実行部は、解読結果に従って動作する。
【００５７】
ＣＰＵ１０１は、ＲＯＭ１０２に記憶されている制御プログラムに従って動作することにより、画像処理部１０６、ネットワーク通信部１０７、プリンター制御部１０８、スキャナー制御部１０９、入出力部１１０、表示制御部１１１、外装画像処理部１１２、無線通信制御部１１３等を制御する。
【００５８】
例えば、ＣＰＵ１０１は、制御プログラムに従って動作することにより、ネットワーク通信部１０７によりプリントジョブを受信すると、プリンター制御部１０８に指示して、そのプリントジョブに基づき、画像形成動作を実行させる。
【００５９】
画像メモリ１０４は、半導体メモリから構成され、プリントジョブ等の画像データを一時的に記憶する。
【００６０】
（２）画像処理部１０６
（色変換）
画像処理部１０６は、例えば、外部の端末装置から受信したプリントジョブに含まれ、又は、イメージリーダー部１１によるスキャンにより生成した、Ｒ、Ｇ、Ｂの多値デジタル信号からなる画像データに対して、各種のデータ処理を実行して、Ｙ、Ｍ、Ｃ、Ｋの各再現色の画像データに変換する。
【００６１】
（プレビュー画像の生成）
画像処理部１０６は、表示制御部１１１の制御により、イメージリーダー部１１によるスキャンにより生成した画像を縮小して、プレビュー用の低解像度のプレビュー画像を生成する。ここで、プレビュー画像の解像度は、例えば、縦方向５０ｄｐｉ、横方向５０ｄｐｉである。画像処理部１０６は、生成したプレビュー画像を、表示制御部１１１に対して出力する。ここで生成されたプレビュー画像は、利用者によるスキャン結果の確認のために用いられる。
【００６２】
（縮小デザイン画像又は部分デザイン画像の生成）
画像処理部１０６は、表示制御部１１１から、デザインＩＤを受け取る。デザインＩＤを受け取ると、画像処理部１０６は、記憶部１０５から、受け取ったデザインＩＤにより識別されるデザイン画像を読み出す。次に、画像処理部１０６は、読み出したデザイン画像を縮小して、縮小デザイン画像を生成し、又は、読み出したデザイン画像の一部分を切り出して、部分デザイン画像を生成する。次に、画像処理部１０６は、生成した縮小デザイン画像、又は、生成した部分デザイン画像を表示制御部１１１に対して、出力する。ここで生成された縮小デザイン画像、又は、部分デザイン画像は、利用者によるデザイン画像の選択のために用いられる。
【００６３】
（外装画像の生成）
画像処理部１０６（生成手段）は、外装画像処理部１１２の後述する生成部１１２ｂから、外装部材の形状情報（外縁形状及び寸法）を受け取り、生成部１１２ｂの制御により、取得した寸法で、取得した外縁形状を平面上に展開し、展開された形状の枠（枠画像）内に、取得した基調色（後述する）、基調模様（後述する）、又は、基調色及び基調模様の組合せからなる基調デザインを描いて、外装画像を生成する。
【００６４】
また、画像処理部１０６は、生成部１１２ｂの制御により、画像メモリ１０４に記憶されている外装スキャン画像（後述する）から、その枠（外装部材の形状）を抽出し、抽出した枠から構成される枠画像を、画像メモリ１０４上に生成する。また、画像処理部１０６は、枠画像内に、取得した基調色、基調模様、又は、基調色及び基調模様の組合せからなる基調デザインを描いて、外装画像を生成する。
【００６５】
画像処理部１０６は、外装画像処理部１１２の制御により、生成した外装画像をプリンター制御部１０８に対して、出力する。ここで、外装画像は、印刷のために用いられる。
【００６６】
（３）ネットワーク通信部１０７、プリンター制御部１０８及びスキャナー制御部１０９
ネットワーク通信部１０７は、ＬＡＮなどのネットワークを介して、外部の端末装置からプリントジョブを受信する。また、ネットワーク通信部１０７は、必要に応じて、外部の端末装置に対して、メッセージ等を出力する。
【００６７】
プリンター制御部１０８は、給紙部１３からの給送動作やプリンター部１２の再現色毎の作像部の作像動作などを統一的に制御し、画像形成動作を実行させる。
【００６８】
スキャナー制御部１０９は、イメージリーダー部１１による原稿面のスキャンを制御する。例えば、スキャナー制御部１０９は、イメージリーダー部１１による原稿面のスキャンの際に、解像度を指定する。
【００６９】
スキャナー制御部１０９は、イメージリーダー部１１から受け取った画像データを、画像メモリ１０４に書き込む。
【００７０】
（４）入出力部１１０
入出力部１１０は、表示制御部１１１又はその他の制御部等と操作パネル１９との間で、データを中継する。
【００７１】
例えば、入出力部１１０は、表示制御部１１１又はその他の制御部等から、メニュー画面、プレビュー画面、プレビュー画像、メッセージ等を受け取り、受け取ったメニュー画面、プレビュー画面、プレビュー画像、メッセージ等を操作パネル１９に対して出力する。
【００７２】
また、入出力部１１０は、操作パネル１９から、画像形成装置１０における実行条件を受け取り、受け取った実行条件を、ネットワーク通信部１０７、プリンター制御部１０８、スキャナー制御部１０９及び表示制御部１１１等に対して、出力する。
【００７３】
（５）無線通信部１１６
無線通信制御部１１３及び無線通信回路１１４は、例えば、ＩＥＥＥ８０２．１１ａ、ｂ、ｎ、ａｃ等の無線ＬＡＮの規格に基づいて、無線による通信を行う。
【００７４】
無線通信回路１１４には、アンテナ１１５が接続されている。アンテナ１１５は、携帯端末３００との間で、無線により、無線信号を送受信する。無線通信回路１１４は、アンテナ１１５により送受信される無線信号の周波数選択や周波数変換等を行う。無線通信制御部１１３は、無線通信回路１１４から受け取った信号を復調し、外装画像処理部１１２等に対して出力する。また、無線通信制御部１１３は、外装画像処理部１１２等から受け取った信号を変調して、無線通信回路１１４に対して出力する。
【００７５】
また、無線通信部１１６は、携帯端末３００から、無線により、写真画像を受信することにより、対象物（例えば、画像形成装置１０）が配されるべきエリア内に描かれたデザインを取得する。
【００７６】
（６）記憶部１０５
記憶部１０５は、不揮発性の半導体メモリから構成されている。もちろん、記憶部１０５は、ハードディスクドライブから構成されていてもよい。
【００７７】
記憶部１０５は、図３に示すように、予め、メニュー遷移テーブル２１１、最初のメニュー画面ＩＤ２１９、メニュー画面４０１、４１１を表す画像、画面４４１、４６１を表す画像、画面テンプレート４２１ａ、４３１ａ、４５１ａ、４７１ａ、４８１ａ、装置リスト２２１、装置画像２３１、２３２、・・・、外装部材リスト２４１、デザインリスト２５１、デザイン画像２６１、２６２、２６３、２６４、・・・、外装フラグ２９１、デザインフラグ２９２及び写真フラグ２９３等を記憶している。また、記憶部１０５は、図３に示すように、外装スキャン画像２７１、デザインスキャン画像２７２、外装画像２８１、２８２、２８３、・・・、写真画像２９５、２９６等を記憶するための領域を備えている。
【００７８】
（メニュー遷移テーブル２１１）
メニュー遷移テーブル２１１は、操作パネル１９に表示されるメニュー画面の遷移を制御するために用いられるデータテーブルである。
【００７９】
メニュー遷移テーブル２１１は、図４に示すように、複数のメニュー遷移情報２１２を、予め、記憶している。各メニュー遷移情報２１２は、一つのメニュー画面に対応している。
【００８０】
各メニュー遷移情報２１２は、一つのメニュー画面ＩＤ２１３及び一つ又は複数の選択肢情報２１７を含む。
【００８１】
メニュー画面ＩＤ２１３は、メニュー画面を一意に識別するための識別子である。
【００８２】
一つの選択肢情報２１７は、メニュー画面に表示される一つの選択肢に対応している。
【００８３】
従って、一つのメニュー遷移情報２１２内に複数の選択肢情報２１７が含まれる場合には、メニュー画面には、選択肢情報２１７と同じ数の選択肢が表示され、一つのメニュー遷移情報２１２内の複数の選択肢情報２１７は、それぞれ、メニュー画面に含まれる複数の選択肢に対応している。
【００８４】
選択肢情報２１７は、選択肢ＩＤ２１４、遷移先ＩＤ２１５及び機能２１６を含む場合と、遷移先ＩＤ２１５を含まず、選択肢ＩＤ２１４及び機能２１６を含む場合とがある。
【００８５】
選択肢ＩＤ２１４は、対応する選択肢を一意に識別する識別子である。
【００８６】
遷移先ＩＤ２１５は、選択肢ＩＤ２１４により識別子される選択肢が利用者により選択された場合、次に、表示すべきメニュー画面を示すメニュー画面ＩＤである。
【００８７】
遷移先ＩＤ２１５が存在しない場合には、次に、表示すべきメニュー画面は、存在しない。
【００８８】
機能２１６は、選択肢ＩＤ２１４により識別される選択肢が利用者により選択された場合、実行されるべき機能を示す。具体的には、「遷移」は、次に表示すべきメニュー画面への遷移を示す。また、「パラメーター設定」は、実行条件等のパラメーターの設定を利用者から受け付け、記憶することを示す。「外装選択」は、外装部材の選択を利用者から受け付けることを示す。「デザイン選択」は、デザインの選択を利用者から受け付けることを示す。「外装スキャン」は、スマートフォン等の対象物の外装をイメージリーダー部１１によりスキャンすることを示す。「デザインスキャン」は、デザインが施された原稿面をイメージリーダー部１１によりスキャンすることを示す。「基調色の抽出」は、携帯端末３００から受信した写真画像から、後述する基調色を抽出することを示す。「プリント実行」は、デザインが施された外装画像を、プリンター部１２により、シート上にプリントすることを示す。
【００８９】
（最初のメニュー画面ＩＤ２１９）
最初のメニュー画面ＩＤ２１９は、画像形成装置１０の電源がオンとされた直後に、操作パネル１９に最初に表示すべきメニュー画面を識別するメニュー画面ＩＤである。
【００９０】
（メニュー画面４０１を表す画像）
メニュー画面４０１は、画像形成装置１０の起動直後に、操作パネル１９の表示面２０に表示され、コピージョブを実行する場合に、利用者によりジョブの実行条件を設定するために用いられる。
【００９１】
メニュー画面４０１を表す画像には、図１３に示すように、設定領域４０２、４０３、４０４、４０５及びボタン４０６が含まれる。
【００９２】
設定領域４０２、４０３、４０４、４０５は、それぞれ、印刷の濃度、印刷に用いる用紙、印刷の際の画像データの拡大や縮小の倍率、印刷の際のページの集約の設定を行うための選択肢を含んでいる。また、ボタン４０６は、ステッカーの作成のために用いられるメニュー画面４１１（図１３）に遷移するために、利用者により接触による操作がされる領域である。
【００９３】
（メニュー画面４１１を表す画像）
メニュー画面４１１は、対象物の外装部材の選択、対象物の外装のスキャン、デザインのスキャン、デザインの選択、基調色の抽出及びプリントを実行するために用いられる。
【００９４】
メニュー画面４１１を表す画像には、図１３に示すように、ボタン４１２、４１３、４１４、４１５、４１６、４１７、４１８が含まれる。ボタン４１２、４１３、４１４、４１５、４１６は、それぞれ、対象物の外装部材の選択、対象物の外装のスキャン、デザインのスキャン、デザインの選択及び基調色の抽出を実行するために、利用者により接触による操作がされる領域である。また、ボタン４１７は、メニュー画面４０１に戻るために、利用者により接触による操作がされる領域である。さらに、ボタン４１８は、プリントを実行するために、利用者により接触による操作がされる領域を示す。
【００９５】
（画面テンプレート４２１ａ）
画面テンプレート４２１ａは、図１３に示す画面４２１の生成の基になるテンプレート画像である。
【００９６】
画面テンプレート４２１ａは、図１３に示す画面４２１に含まれる画面要素のうち、装置メニュー４２２を配置すべき装置メニュー領域、スクロールバー４２９、ボタン４２７及び４２８を含んでいる。
【００９７】
装置メニュー領域には、タイトル「機種名」及びタイトル「型番」が配されている。しかし、画面テンプレート４２１ａにおいては、チェックボックス４２３、データとしての機種名４２４及びデータとしての型番４２５は、含まれていない。
【００９８】
スクロールバー４２９は、装置メニュー４２２内において、チェックボックス、機種名及び型番の組を、スクロールするために用いられる。しかし、画面テンプレート４２１ａには、スクロール操作をするためのノブ４２６は、含まれていない。
【００９９】
ボタン４２７は、画面４２１における装置の選択操作を取り消すために、操作される。
【０１００】
ボタン４２８は、画面４２１における装置の選択操作を確定するために、操作される。
【０１０１】
（画面テンプレート４３１ａ）
画面テンプレート４３１ａは、図１４に示す画面４３１の生成の基になるテンプレート画像である。画面４３１は、装置の外装部材を選択するために用いられる。
【０１０２】
画面テンプレート４３１ａは、図１４に示す画面４３１に含まれる画面要素のうち、装置画像４３２を配置すべき装置画像領域、ボタン４３４及び４３５、並びに、メッセージ４３６を含んでいる。
【０１０３】
装置画像領域には、どのような画像も配置されていない。
【０１０４】
ボタン４３４は、画面４３１における装置の外装部材の選択操作を取り消すために、操作される。
【０１０５】
ボタン４３５は、画面４３１における装置の外装部材の選択操作を確定するために、操作される。
【０１０６】
メッセージ４３６は、利用者に対して、外装部材の選択操作を促すための記述を含む。
【０１０７】
（画面４４１及び画面４６１を表す画像）
図１４に示す画面４４１は、対象物の外装のスキャンを実行する際に用いられる。
【０１０８】
画面４４１は、メッセージ４４２、ボタン４４３及び４４４を含んでいる。
【０１０９】
メッセージ４４２は、利用者に対して、スキャンの実行を促すための記述を含む。
【０１１０】
ボタン４４３は、画面４４１におけるスキャンの実行の操作を取り消すために、操作される。
【０１１１】
ボタン４４４は、スキャンの実行を開始するために、操作される。
【０１１２】
図１５に示す画面４６１は、画面４４１と同様であり、メッセージ４６２、ボタン４６３及び４６４を含んでいる。
【０１１３】
（画面テンプレート４５１ａ）
画面テンプレート４５１ａは、図１４に示す画面４５１の生成の基になるテンプレート画像である。画面４５１は、対象物の外装をスキャンして得られたプレビュー画像を表示するために用いられる。
【０１１４】
画面テンプレート４５１ａは、図１４に示す画面４５１に含まれる画面要素のうち、対象物の外装をスキャンして得られるプレビュー画像を配置すべき外装プレビュー画像領域、ボタン４５４、４５５、４５６、及び、メッセージ４５３を含んでいる。
【０１１５】
外装プレビュー画像領域には、どのような画像も配置されていない。
【０１１６】
ボタン４５４は、画面４５１における対象物の外装のスキャン操作を取り消すために、操作される。
【０１１７】
ボタン４５５は、画面４５１における対象物の外装のスキャン操作を確定するために、操作される。
【０１１８】
ボタン４５６は、再度、対象物の外装をスキャンするために、操作される。
【０１１９】
メッセージ４５３は、利用者に対して、プレビュー画像の確認を求めるための記述を含む。
【０１２０】
（画面テンプレート４７１ａ）
画面テンプレート４７１ａは、図１５に示す画面４７１の生成の基になるテンプレート画像である。画面４７１は、デザインをスキャンして得られたプレビュー画像を表示するために用いられる。
【０１２１】
画面テンプレート４７１ａは、図１５に示す画面４７１に含まれる画面要素のうち、デザインをスキャンして得られるプレビュー画像を配置すべきデザインプレビュー画像領域、ボタン４７４、４７５、４７６、及び、メッセージ４７３を含んでいる。
【０１２２】
デザインプレビュー領域には、どのような画像も配置されていない。
【０１２３】
ボタン４７４は、画面４７１におけるデザインのスキャン操作を取り消すために、操作される。
【０１２４】
ボタン４７５は、画面４７１におけるデザインのスキャン操作を確定するために、操作される。
【０１２５】
ボタン４７６は、再度、デザインをスキャンするために、操作される。
【０１２６】
メッセージ４７３は、利用者に対して、プレビュー画像の確認を求めるための記述を含む。
【０１２７】
（画面テンプレート４８１ａ）
画面テンプレート４８１ａは、図１５に示す画面４８１の生成の基になるテンプレート画像である。
【０１２８】
画面テンプレート４８１ａは、図１５に示す画面４８１に含まれる画面要素のうち、デザインメニュー４８３を配置すべきデザインメニュー領域、スクロールバー４８６、ボタン４８８及び４８９を含んでいる。
【０１２９】
デザインメニュー領域には、チェックボックス４８４、データとしてのデザイン４８５は、含まれていない。
【０１３０】
スクロールバー４８６は、デザインメニュー４８３内において、チェックボックス及びデザインの組を、スクロールするために用いられる。しかし、画面テンプレート４８１ａには、スクロール操作をするためのノブ４８７は、含まれていない。
【０１３１】
ボタン４８８は、画面４８１におけるデザインの選択操作を取り消すために、操作される。
【０１３２】
ボタン４８９は、画面４８１におけるデザインの選択操作を確定するために、操作される。
【０１３３】
（装置リスト２２１及び装置画像）
装置リスト２２１は、利用者が特定の装置を選択するために用いられるデータテーブルである。
【０１３４】
装置リスト２２１は、図５（ａ）に示すように、複数の型番情報２２２を含んでいる。各型番情報２２２は、一台の装置に対応する。ここで、各装置は、画像形成装置である。しかし、これには限定されない。各装置は、画像形成装置以外の装置、例えば、携帯型の通信端末装置、パーソナルコンピューター、家電機器等であるとしてもよい。
【０１３５】
型番情報２２２は、機種名２２３及び型番２２４を含む。
【０１３６】
機種名２２３は、同一の機種である複数の装置に対して付与される名称である。
【０１３７】
型番２２４は、同一の機種に含まれるが、仕様の異なる複数の装置を識別する識別番号である。
【０１３８】
図５（ｂ）に示す装置画像２３１は、装置リスト２２１に含まれる一台の装置の外観を示す縮小画像である。また、図５（ｃ）に示す装置画像２３２も、装置画像２３１と同様に、他の一台の装置の外観を示す縮小画像である。
【０１３９】
（外装部材リスト２４１）
外装部材リスト２４１は、装置リスト２２１により示される全ての装置について、各装置が備える外装部材の外縁形状や寸法等を保持しているデータテーブルである。
【０１４０】
外装部材リスト２４１は、図６（ａ）に示すように、複数の装置情報２４２を含んでいる。各装置情報２４２は、一台の装置に対応している。
【０１４１】
装置情報２４２は、型番２４３及び複数の外装部材情報２４４を含んでいる。複数の外装部材情報２４４は、それぞれ、一台の装置が備える複数の外装部材に対応している。
【０１４２】
型番２４３は、図５（ａ）に示す装置リスト２２１において説明したように、一つの仕様の装置を識別する識別番号である。
【０１４３】
外装部材情報２４４は、外装部材番号２４５、形状情報２４６及び配置情報２４７から構成され、形状情報２４６は、外縁形状２４８及び寸法２４９を含んでいる。
【０１４４】
外装部材番号２４５は、外装部材を識別する識別番号である。
【０１４５】
外縁形状２４８は、外装部材の表面のうち、平面部分、又は、展開することにより、平面となる部分の形状を示す。外縁形状２４８の一例は、矩形である。
【０１４６】
寸法２４９は、一例として、外縁形状２４８を平面に展開した場合の縦方向の寸法及び縦方向の寸法である。
【０１４７】
配置情報２４７は、装置の外観斜視図を表した画像上において、外装部品が占める領域を示す情報である。配置情報２４７は、後述する図１４の画面４３１に表示された一台の画像形成装置から利用者が一つの外装部材を選択する際に、利用者が指定した位置と、この外装部材の位置とを関係付けるために用いられる。
【０１４８】
装置の外観斜視図を表した画像におけるＸ−Ｙ座標系を想定する。例えば、図６（ｂ）に示すＸ−Ｙ座標系に、外装部材３２を表した画像を示し、この画像の頂点をＡ１１、Ａ１２、Ａ１３、Ａ１４により示す。このとき、配置情報２４７は、頂点Ａ１１、Ａ１２、Ａ１３、Ａ１４のそれぞれのＸ−Ｙ座標値として示される。なお、図６（ｂ）においては、外装部材３２を表した画像以外の外装部品の画像の記載を省略している。
【０１４９】
（デザインリスト２５１）
デザインリスト２５１は、図７に示すように、記憶部１０５に記憶されている全てのデザイン画像を識別する識別情報であるデザインＩＤ２５２を保持しているデータテーブルである。
【０１５０】
（デザイン画像２６１〜２６４）
デザイン画像２６１〜２６４は、それぞれ、図８（ａ）〜（ｄ）に示すように、デザインを表した画像である。
【０１５１】
（外装スキャン画像２７１）
外装スキャン画像２７１は、図９に示すように、一例として、スマートフォンの片面（表示画面が配されていない面）を、イメージリーダー部１１により読み取って生成した画像である。
【０１５２】
（デザインスキャン画像２７２）
デザインスキャン画像２７２は、図１０に示すように、一例として、デザインが表されたシートから、イメージリーダー部１１により、そのデザインをスキャンして生成した画像である。
【０１５３】
（写真画像２９５、２９６）
写真画像２９５及び２９６は、図１１（ａ）及び（ｂ）に示すように、携帯端末３００から受信した写真画像である。写真画像２９５及び２９６は、画像形成装置１０が配置されている位置の周辺において、撮影により生成されたものである。
【０１５４】
（外装画像２８１〜２８３）
図１２（ａ）及び（ｂ）に示す外装画像２８１及び２８２は、それぞれ、一例として、図１（ａ）に示す画像形成装置１０の外装部材３２及び３１の外縁形状を、寸法に合致するように、平面上に展開して枠画像を生成し、生成した枠画像の内部に、一例として、図１０に示すデザインスキャン画像２７２を描画して、生成した画像である。
【０１５５】
また、図１１（ｃ）に示す外装画像２８３は、一例として、図９に示す外装スキャン画像２７１から、スマートフォンの枠部分を抽出して枠画像を生成し、生成した枠画像の内部に、一例として、図１０に示すデザインスキャン画像２７２を描画して、生成した画像である。
【０１５６】
（外装フラグ２９１）
外装フラグ２９１は、利用者により外装の選択がされたか、又は、外装のスキャンがされたかを示すフラグである。
【０１５７】
利用者により外装の選択がされず、外装のスキャンがされない場合、外装フラグ２９１は、「０」である。
【０１５８】
利用者により外装の選択がされた場合、外装フラグ２９１は、「１」である。
【０１５９】
利用者により外装のスキャンがされた場合、外装フラグ２９１は、「２」である。
【０１６０】
（デザインフラグ２９２）
デザインフラグ２９２は、利用者によりデザインの選択がされたか、又は、デザインのスキャンがされたかを示すフラグである。
【０１６１】
利用者によりデザインの選択がされず、デザインのスキャンがされない場合、デザインフラグ２９２は、「０」である。
【０１６２】
利用者によりデザインの選択がされた場合、デザインフラグ２９２は、「１」である。
【０１６３】
利用者によりデザインのスキャンがされた場合、デザインフラグ２９２は、「２」である。
【０１６４】
（写真フラグ２９３）
写真フラグ２９３は、携帯端末３００から受信した写真画像から、基調色を抽出したか否かを示すフラグである。
【０１６５】
基調色が抽出されていない場合、写真フラグ２９３は、「０」である。
【０１６６】
基調色が抽出された場合、写真フラグ２９３は、「１」である。
【０１６７】
（７）表示制御部１１１
（画面の遷移の制御及び画面の生成）
表示制御部１１１は、以下に示すように、記憶部１０５に記憶されているメニュー遷移テーブル２１１に従って、操作パネル１９の表示面２０に表示されるべき画面の遷移を制御する。
【０１６８】
画像形成装置１０の電源がオンとされたときには、表示制御部１１１は、記憶部１０５から最初のメニュー画面ＩＤ２１９を読み出す。最初のメニュー画面ＩＤ２１９により識別されるメニュー画面が表示された後においては、表示制御部１１１は、メニュー遷移テーブル２１１から、次に表示すべきメニュー画面を識別する遷移先ＩＤ（メニュー画面ＩＤ）を読み出す。
【０１６９】
表示制御部１１１は、読み出したメニュー画面ＩＤにより識別されるメニュー画面を記憶部１０５から読み出し、読み出したメニュー画面を、入出力部１１０を介して、操作パネル１９に対して出力して、読み出したメニュー画面を操作パネル１９に表示させる。
【０１７０】
表示制御部１１１は、メニュー遷移テーブル２１１から、読み出したメニュー画面ＩＤを含むメニュー遷移情報を読み出す。
【０１７１】
表示中のメニュー画面に対する利用者の操作がなされたとき、表示制御部１１１は、読み出したメニュー遷移情報に含まれる選択肢情報内の機能の内容を判断する。具体的には、表示制御部１１１は、機能の内容が、「パラメーター設定」、「遷移」、「外装選択」、「外装スキャン」、「デザインスキャン」、「デザイン選択」、「基調色の抽出」、「プリント実行」及びその他のいずれであるか、を判断する。次に、表示制御部１１１は、選択肢情報内の機能に従って、動作する。
【０１７２】
選択肢情報内の機能が「遷移」であれば、表示制御部１１１は、選択肢情報から、対応する遷移先ＩＤ（メニュー画面ＩＤ）を抽出し、抽出した遷移先ＩＤに対応するメニュー画面ＩＤを含むメニュー遷移情報を、メニュー遷移テーブル２１１から読み出す。また、表示制御部１１１は、遷移先ＩＤに対応するメニュー画面を記憶部１０５から読み出し、読み出したメニュー画面を、入出力部１１０を介して、操作パネル１９に対して出力して、読み出したメニュー画面を操作パネル１９に表示させる。
【０１７３】
例えば、表示制御部１１１は、図１３に示すメニュー画面４０１、４１１を操作パネル１９の表示面２０に表示させる。
【０１７４】
また、表示制御部１１１は、メニュー画面４１１を表示させた後、外装選択、外装スキャン、デザインスキャン、デザイン選択又は基調色の抽出の処理が実行され、再び、メニュー画面４１１を表示するとき、各処理が実行されたことを利用者が明確に知ることができるように、実行された処理に対応するボタン４１２、４１３、４１４、４１５、４１６の表示を反転したメニュー画面４１１を生成し、生成したメニュー画面４１１を、入出力部１１０を介して、操作パネル１９に対して出力して、メニュー画面４１１を操作パネル１９に表示させてもよい。
【０１７５】
（画面４２１の生成及び表示制御）
選択肢情報内の機能が「外装選択」であれば、表示制御部１１１は、記憶部１０５から、画面テンプレート４２１ａを読み出す。次に、表示制御部１１１は、記憶部１０５に記憶されている装置リスト２２１から、全ての型番情報を読み出し、読み出した全ての型番情報について、チェックボックスの画像、型番情報に含まれる機種名及び型番からなる組を生成し、生成した複数の組を組み入れた装置メニューを生成する。なお、装置メニューに含まれる組の数が所定数を超える場合には、表示制御部１１１は、生成した複数の組のうち、所定数の組のみを装置メニューに組み入れる。次に、表示制御部１１１は、装置メニューを画面テンプレート４２１ａ内の装置メニュー領域に配する。また、表示制御部１１１は、スクロールバー４２９にノブ４２６を配置する。
【０１７６】
このようにして、表示制御部１１１は、装置の選択を行うための画面４２１（図１３）を生成し、生成した画面４２１を、入出力部１１０を介して、操作パネル１９に対して出力して、生成した画面４２１を操作パネル１９の表示面２０に表示させる。
【０１７７】
なお、表示制御部１１１は、画面４２１が表示されている場合、利用者のノブ４２６に対する操作により、装置メニュー内に組み入れる組を入れ換える。
【０１７８】
利用者により、装置メニュー４２２から、機種名及び型番の組が選択され、その選択が、確定のボタン４２８が操作されることにより、確定した場合、表示制御部１１１は、利用者により選択された機種名及び型番の組を記憶部１０５に書き込む。
【０１７９】
（画面４４１の表示制御）
選択肢情報内の機能が「外装スキャン」であれば、表示制御部１１１は、イメージリーダー部１１によるスキャンを促すための画面４４１（図１４）を記憶部１０５から読み出し、読み出した画面４４１を、入出力部１１０を介して、操作パネル１９に対して出力して、生成した画面４４１を操作パネル１９の表示面２０に表示させる。
【０１８０】
（画面４６１の表示制御）
選択肢情報内の機能が「デザインスキャン」であれば、表示制御部１１１は、イメージリーダー部１１によるスキャンを促すための画面４６１（図１５）を記憶部１０５から読み出し、読み出した画面４６１を、入出力部１１０を介して、操作パネル１９に対して出力して、生成した画面４６１を操作パネル１９の表示面２０に表示させる。
【０１８１】
（画面４８１の生成及び表示制御）
選択肢情報内の機能が「デザイン選択」であれば、表示制御部１１１は、記憶部１０５から、画面テンプレート４８１ａを読み出す。次に、表示制御部１１１は、記憶部１０５に記憶されているデザインリスト２５１から、全てのデザインＩＤを読み出す。次に、表示制御部１１１は、読み出した全てのデザインＩＤを画像処理部１０６に対して出力し、画像処理部１０６により、各デザインＩＤにより識別されるデザイン画像を縮小した縮小デザイン画像又は各デザインＩＤにより識別されるデザイン画像の一部分を切り出した部分デザイン画像を生成するように、画像処理部１０６を制御する。次に、表示制御部１１１は、読み出した全てのデザインＩＤについて、画像処理部１０６から、縮小デザイン画像又は部分デザイン画像を受け取る。
【０１８２】
次に、表示制御部１１１は、チェックボックスの画像及び縮小デザイン画像又は部分デザイン画像からなる組を生成し、生成した複数の組を組み入れたデザインメニューを生成する。なお、デザインメニューに含まれる組の数が所定数を超える場合には、表示制御部１１１は、生成した複数の組のうち、所定数の組のみをデザインメニューに組み入れる。次に、表示制御部１１１は、デザインメニューを画面テンプレート４８１ａ内のデザインメニュー領域に配する。また、表示制御部１１１は、スクロールバー４８６にノブ４８７を配置する。
【０１８３】
このようにして、表示制御部１１１は、デザインの選択を行うための画面４８１（図１５）を生成し、生成した画面４８１を、入出力部１１０を介して、操作パネル１９に対して出力して、生成した画面４８１を操作パネル１９の表示面２０に表示させる。
【０１８４】
なお、表示制御部１１１は、画面４８１が表示されている場合、利用者のノブ４８７に対する操作により、デザインメニュー内に組み入れる組を入れ換える。
【０１８５】
利用者により、デザインが選択され、確定のボタン４８９が操作されることにより、確定した場合、表示制御部１１１は、利用者により選択されたデザインを識別するデザインＩＤを記憶部１０５に書き込み、デザインフラグ２９２を「１」に設定する。
【０１８６】
（画面４３１の生成及び表示制御）
装置の選択を行うための画面４２１（図１３）が表示された状態で、確定のボタン４２８が操作された場合、表示制御部１１１は、次に示すようにして、外装部材の選択を行うための画面４３１（図１４）を生成する。
【０１８７】
表示制御部１１１は、記憶部１０５から、画面テンプレート４３１ａを読み出す。次に、表示制御部１１１は、画面４２１において、利用者により選択された装置の型番を記憶部１０５から読み出し、読み出した型番により識別される装置画像を記憶部１０５から読み出す。次に、表示制御部１１１は、読み出した装置画像を、画面テンプレート４３１ａの装置画像領域に配置する。このようにして、表示制御部１１１は、画面４３１を生成する。次に、表示制御部１１１は、生成した画面４３１を、入出力部１１０を介して、操作パネル１９に対して出力して、生成した画面４３１を操作パネル１９の表示面２０に表示させる。
【０１８８】
表示制御部１１１は、操作パネル１９から、画面４３１に表示した装置画像内に表示された複数の外装部材のうちから、利用者により選択された、一つ又は複数の外装部材の表示位置を受け取る。受け取った外装部材の表示位置と、外装部材情報内の配置情報（図６（ａ））に基づいて、利用者により選択された外装部材を特定し、その外装部材を識別する識別部材番号を、外装部材情報から抽出する。
【０１８９】
利用者により、装置の外装部材が選択され、その選択が、確定のボタン４３５が操作されることにより、確定した場合、表示制御部１１１は、利用者により選択された外装部材を識別する外装部材番号を記憶部１０５に書き込み、外装フラグ２９１を「１」に設定する。
【０１９０】
（画面４５１の生成及び表示制御）
スキャンを行うための画面４４１（図１４）が表示された状態で、スキャン実行のボタン４４４が操作された場合、表示制御部１１１は、イメージリーダー部１１に対して、スキャンにより生成した画像データ（外装スキャン画像）を画像メモリ１０４に書き込むように、制御する。また、画像処理部１０６に対して、イメージリーダー部１１によるスキャンにより生成した画像を縮小して、プレビュー画像を生成するように、制御する。次に、表示制御部１１１は、画像処理部１０６からプレビュー画像を受け取る。また、表示制御部１１１は、記憶部１０５から、画面テンプレート４５１ａを読み出す。次に、表示制御部１１１は、画面テンプレート４５１ａの外装プレビュー画像領域に、受け取ったプレビュー画像を配置して、画面４５１（図１４）を生成する。次に、表示制御部１１１は、生成した画面４５１を、入出力部１１０を介して、操作パネル１９に対して出力して、生成した画面４５１を操作パネル１９の表示面２０に表示させる。
【０１９１】
利用者により、対象物の外装がスキャンされ、確定のボタン４５５が操作されることにより、確定した場合、外装フラグ２９１を「２」に設定する。
【０１９２】
（画面４７１の生成及び表示制御）
スキャンを促すための画面４６１（図１５）が表示された状態で、スキャン実行のボタン４６４が操作された場合、表示制御部１１１は、イメージリーダー部１１に対して、スキャンにより生成した画像データ（デザインスキャン画像）を画像メモリ１０４に書き込むように、制御する。また、表示制御部１１１は、画像処理部１０６に対して、イメージリーダー部１１によるスキャンにより生成した画像を縮小して、プレビュー画像を生成するように、制御する。次に、表示制御部１１１は、画像処理部１０６からプレビュー画像を受け取る。また、表示制御部１１１は、記憶部１０５から、画面テンプレート４７１ａを読み出す。次に、表示制御部１１１は、画面テンプレート４７１ａのデザインプレビュー画像領域に、受け取ったプレビュー画像を配置して、画面４７１（図１５）を生成する。次に、表示制御部１１１は、生成した画面４７１を、入出力部１１０を介して、操作パネル１９に対して出力して、生成した画面４７１を操作パネル１９の表示面２０に表示させる。
【０１９３】
利用者により、デザインがスキャンされ、確定のボタン４７５が操作されることにより、確定した場合、表示制御部１１１は、デザインフラグ２９２を「２」に設定する。
【０１９４】
（実行条件の受け付け）
選択肢情報内の機能が「パラメーター設定」であれば、表示制御部１１１は、操作パネル１９から、利用者により設定された実行条件を受け付け、受け付けた実行条件を記憶部１０５に書き込む。
【０１９５】
例えば、表示制御部１１１は、図１３のメニュー画面４０１に示すように、用紙の選択を示す選択肢のうちの一つが選択されると、選択された選択肢に対応する用紙のサイズを（又は、そのサイズを識別する識別子）を、実行条件の一つの用紙のサイズとして、記憶部１０５に書き込む。
【０１９６】
このとき、その選択肢が選択されたことを利用者が明確に知ることができるように、必要に応じて、受け付けた設定項目を反転表示した画面を生成し、生成した画面を、入出力部１１０を介して、操作パネル１９に対して出力して、その画面を操作パネル１９に表示させてもよい。
【０１９７】
（８）外装画像処理部１１２
外装画像処理部１１２は、図３に示すように、抽出部１１２ａ（抽出手段）及び生成部１１２ｂ（生成手段）を含む。
【０１９８】
（写真画像からの基調色の抽出処理）
メニュー画面４１１（図１３）が表示された状態で、基調色の抽出のボタン４１６が操作された場合、抽出部１１２ａは、以下に示すようにして、写真画像からの基調色の抽出処理を実行する。
【０１９９】
抽出部１１２ａは、記憶部１０５から、全ての写真画像を読み出す。次に、抽出部１１２ａは、各写真画像について、写真画像内を色毎に、ブロックに分割する。ここで、例えば、図１１（ｃ）に示すように、写真画像２９５から、一つのブロック２９５ａが分割して切り出され、また、図１１（ｄ）に示すように、写真画像２９６から、一つのブロック２９６ａが分割して切り出される。ブロック２９５ａ及び２９５ｂは、写真画像２９５及び写真画像２９６における壁面であり、同一色で表現されている。
【０２００】
次に、抽出部１１２ａは、各ブロックの面積を算出し、算出した面積を記憶する。ここで、例えば、図１１（ｃ）及び（ｄ）に示すブロック２９５ａ及び２９６ａの面積がそれぞれ算出される。
【０２０１】
次に、抽出部１１２ａは、外装全ての写真画像について、色毎に、ブロックの面積を集計する。ここで、例えば、図１１（ｃ）及び（ｄ）に示すブロック２９５ａ及び２９６ａの面積が集計される。
【０２０２】
次に、抽出部１１２ａは、色毎の面積のうち、最大の面積を算出し、次に、最大の面積に対応する色を、一つの基調色として、選択し、選択した基調色を示す識別情報を記憶する。
【０２０３】
また、抽出部１１２ａは、次のようにして、一つの基調模様を抽出してもよい。
【０２０４】
抽出部１１２ａは、写真画像内において、一の模様を特定し、特定した模様と同一の模様が描かれた領域を特定する。写真画像内の全ての領域について、特定した模様と同一の模様が描かれた領域の特定を繰り返す。次に、抽出部１１２ａは、特定した模様と同一の模様が描かれた全ての領域の面積の総和を算出する。外装画像処理部１１２は、写真画像内において、他の模様についても、同一の模様が描かれた全ての領域の面積の総和を算出する。次に、抽出部１１２ａは、模様毎の面積のうち、最大の面積を算出し、次に、最大の面積に対応する模様を、基調模様として、選択し、選択した基調模様を示す識別情報を記憶する。
【０２０５】
また、抽出部１１２ａは、基調色の上に基調模様が描かれている場合、基調色と基調模様とから構成される基調デザインを抽出してもよい。
【０２０６】
ここで、写真画像に含まれるデザインは、少なくとも一つの模様又は少なくとも一つの色を含む。また、写真画像に含まれるデザインは、複数の模様又は複数の色を含む、としてもよい。
【０２０７】
上記のように、抽出部１１２ａは、写真画像から、基調色、基調模様、又は、基調色及び基調模様の組合せから構成される基調デザインを抽出する。
【０２０８】
（外装画像の生成）
メニュー画面４１１（図１３）が表示された状態で、プリント実行のボタン４１８が操作された場合、生成部１１２ｂは、以下に示すようにして、外装画像を生成する。
【０２０９】
生成部１１２ｂは、外装フラグ２９１が「０」、「１」、「２」のいずれであるかを判断し、デザインフラグ２９２が「０」、「１」、「２」のいずれであるかを判断し、写真フラグ２９３が「０」、「１」のいずれであるかを判断する。
【０２１０】
外装フラグ２９１が「０」である場合、又は、デザインフラグ２９２が「０」である場合、それぞれ、対象物の外装が特定されていない、又は、デザインが特定されていないので、生成部１１２ｂは、外装画像の生成を行わない、としてもよい。
【０２１１】
外装フラグ２９１が「１」である場合、生成部１１２ｂは、記憶部１０５から、利用者により選択された装置の型番及び利用者に選択された外装部材の外装部材番号を読み出す。次に、生成部１１２ｂは、外装部材リスト２４１から、読み出した型番及び外装部材に対応する形状情報（外縁形状及び寸法）を読み出す。次に、生成部１１２ｂは、読み出した形状情報を画像処理部１０６に対して出力し、画像処理部１０６を制御して、画像メモリ１０４上に、外縁形状を平面上に展開した枠画像を生成させる。
【０２１２】
このように、生成部１１２ｂは、記憶部１０５から外縁形状を読み出し、読み出した外縁形状を平面上に展開させ、展開された形状内に、取得したデザイン（色、模様、又は、色と模様との組合せ）を描かせ、外装画像を生成させる。
【０２１３】
外装フラグ２９１が「２」である場合、生成部１１２ｂは、画像処理部１０６に対して、画像メモリ１０４に記憶されている外装スキャン画像から、その枠部分を抽出させ、抽出した枠部分を描いた枠画像を、画像メモリ１０４上に生成させる。
【０２１４】
デザインフラグ２９２が「１」である場合、生成部１１２ｂは、記憶部１０５から、利用者により選択されたデザイン画像を識別するデザインＩＤを読み出す。次に、生成部１１２ｂは、画像処理部１０６に対して、記憶部１０５から、画像メモリ１０４上に、読み出したデザインＩＤにより識別されるデザイン画像を読み出させ、読み出したデザイン画像から、模様を抽出させる。次に、写真フラグが「１」である場合、生成部１１２ｂは、画像処理部１０６を制御して、画像メモリ１０４上に生成された枠画像内に、基調色を塗布させる。次に、生成部１１２ｂは、画像処理部１０６を制御して、枠画像上に、又は、基調色が塗布された枠画像上に、抽出した模様を描画させ、外装画像を生成させる。
【０２１５】
デザインフラグ２９２が「２」である場合、生成部１１２ｂは、画像処理部１０６を制御して、記憶部１０５から、画像メモリ１０４上に、デザインスキャン画像を読み出させ、読み出したデザインスキャン画像から、模様を抽出させる。次に、写真フラグが「１」である場合、生成部１１２ｂは、画像処理部１０６を制御して、枠画像内に、基調色を塗布させる。次に、生成部１１２ｂは、画像処理部１０６を制御して、枠画像上に、又は、基調色が塗布された枠画像上に、抽出した模様を描画させ、外装画像を生成させる。
【０２１６】
外装画像の生成が終了すると、生成部１１２ｂは、プリンター制御部１０８を制御して、外装画像を印刷させる。
【０２１７】
１．５  画面の遷移
操作パネル１９の表示面２０に表示される画面の遷移について、以下に説明する。
【０２１８】
画像形成装置１０の起動直後に、操作パネル１９の表示面２０に、図１３に示すメニュー画面４０１が表示される。
【０２１９】
メニュー画面４０１において、利用者により、ステッカーの作成を示すボタン４０６が操作されると、次に、メニュー画面４１１が表示される。
【０２２０】
次に、メニュー画面４１１において、外装選択を示すボタン４１２が操作されると、画面４２１が表示される。画面４２１において、利用者により、一組の機種名と型番とが選択され、確定を示すボタン４２８が操作されると、次に、図１４に示す画面４３１が表示される。画面４３１において、利用者により、外装部材が選択され、確定を示すボタン４３５が操作されると、次に、メニュー画面４１１が表示される。
【０２２１】
また、メニュー画面４１１において、外装スキャンを示すボタン４１３が操作されると、次に、図１４に示す画面４４１が表示される。利用者が、例えば、スマートフォンの一面を下向きにして、イメージリーダー部１１の原稿ガラス板上に置き、スキャン実行を示すボタン４４４が操作されると、次に、画面４５１が表示される。画面４５１において、利用者により、確定を示すボタン４５５が操作されると、次に、メニュー画面４１１が表示される。
【０２２２】
また、メニュー画面４１１において、デザインスキャンを示すボタン４１４が操作されると、次に、図１５に示す画面４６１が表示される。利用者が、例えば、デザインが表されたシートをイメージリーダー部１１の原稿ガラス板上に置き、スキャン実行を示すボタン４６４が操作されると、次に、画面４７１が表示される。画面４７１において、利用者により、確定を示すボタン４７５が操作されると、次に、メニュー画面４１１が表示される。
【０２２３】
また、メニュー画面４１１において、デザイン選択を示すボタン４１５が操作されると、次に、図１５に示す画面４８１が表示される。利用者が、デザインを選択し、確定を示すボタン４８９が操作されると、次に、メニュー画面４１１が表示される。
【０２２４】
次に、メニュー画面４１１において、プリント実行を示すボタン４１８が操作されると、設定された外縁形状及びデザインにより、シート上に外装画像がプリントされる。
【０２２５】
１．６  携帯端末３００
携帯端末３００（撮影装置）は、一例として、図１６に示すように、主制御部３０１、記憶部３０２、音声処理部３０６、スピーカー３０７、マイクロホン３０８、入出力制御部３０９、タッチパネル３１０、入力部３１１、第二無線通信部３１５（出力手段、第一無線通信手段）、第一無線通信部３１６、カメラ入力部３１７及びカメラ３１８（撮影手段）から構成されている。第二無線通信部３１５は、アンテナ３１２、第二通信回路３１３及び第二通信制御部３１４を備えている。第一無線通信部３１６は、アンテナ３０４、第一通信回路３０３及び第一通信制御部３０５を備えている。
【０２２６】
携帯端末３００は、具体的には、マイクロプロセッサー、信号処理プロセッサー、ＲＯＭ、ＲＡＭなどから構成されるコンピューターシステムである。ＲＡＭには、コンピュータープログラムが記憶されている。マイクロプロセッサー及び信号処理プロセッサーは、コンピュータープログラムに従って動作する。これにより、主制御部３０１、音声処理部３０６、入出力制御部３０９、第二通信制御部３１４、第一通信制御部３０５及びカメラ入力部３１７は、その機能を達成する。
【０２２７】
携帯端末３００は、一例として、スマートフォンである。なお、携帯端末３００は、タッチパッド、携帯電話機、携帯型のパーソナルコンピューター等であるとしてもよい。
【０２２８】
（１）記憶部３０２
記憶部３０２は、一例として、不揮発性の半導体メモリから構成されている。
【０２２９】
記憶部３０２は、写真画像３３１、３３２、・・・を記憶するための領域を備えている。
【０２３０】
（２）アンテナ３０４、第一通信回路３０３及び第一通信制御部３０５
アンテナ３０４、第一通信回路３０３及び第一通信制御部３０５は、例えば、ＣＤＭＡ（Code Division Multiple Access）２０００、ＬＴＥ（Long Term Evolution）等の規格に基づいて、移動体通信を実現する。
【０２３１】
アンテナ３０４は、無線基地局との間で無線回線を介して無線信号を送受信する。第一通信回路３０３は、アンテナ３０４により送受信される無線信号の周波数選択や周波数変換等を行う。第一通信制御部３０５は、第一通信回路３０３から受け取った信号を復調し、主制御部３０１又は音声処理部３０６に対して出力する。また、第一通信制御部３０５は、主制御部３０１又は音声処理部３０６から受け取った信号を変調して、第一通信回路３０３に対して出力する。
【０２３２】
（３）アンテナ３１２、第二通信回路３１３及び第二通信制御部３１４
アンテナ３１２、第二通信回路３１３及び第二通信制御部３１４は、ＩＥＥＥ８０２．１１ａ、ｂ、ｎ、ａｃ等の無線ＬＡＮの規格に基づいて、無線による通信を行う。
【０２３３】
アンテナ３１２は、画像形成装置１０との間で、無線により、無線信号を送受信する。第二通信回路３１３は、アンテナ３１２により送受信される無線信号の周波数選択や周波数変換等を行う。第二通信制御部３１４は、第二通信回路３１３から受け取った信号を復調し、主制御部３０１に対して出力する。また、第二通信制御部３１４は、主制御部３０１から受け取った信号を変調して、第二通信回路３１３に対して出力する。
【０２３４】
第二通信制御部３１４は、主制御部３０１から、記憶部３０２に記憶されている写真画像を、画像形成装置１０に対して送信するように指示を受け取る。送信する指示を受け取ると、第二通信制御部３１４は、さらに、主制御部３０１から、写真画像を受け取り、受け取った写真画像を、第二通信回路３１３及びアンテナ３１２を介して、画像形成装置１０に対して送信する。
【０２３５】
（４）音声処理部３０６、マイクロホン３０８及びスピーカー３０７
マイクロホン３０８は、音波を受けて振動する振動板に伴って、磁界内でコイルが振動することにより、アナログ電気信号としての音声信号を生成する。マイクロホン３０８が受け取る音波は、一例として、利用者の音声である。次に、生成した音声信号を音声処理部３０６に対して出力する。
【０２３６】
スピーカー３０７は、音声処理部３０６からアナログ電気信号としての音声信号を受け取り、受け取った音声信号に従って振動板を振動させて、音波を出力する。
【０２３７】
音声処理部３０６は、音声情報が符号化された符号化音声情報を復号し、さらにアナログ電気信号に変換して、音声信号を生成する。次に、音声処理部３０６は、生成した音声信号をスピーカー３０７に対して出力する。また、音声処理部３０６は、マイクロホン３０８から受け取った音声信号をデジタル電気信号に変換し、さらに、符号化して符号化音声情報を生成する。次に、音声処理部３０６は、生成した符号化音声情報を、第一通信制御部３０５に対して出力する。
【０２３８】
（５）カメラ入力部３１７及びカメラ３１８
カメラ３１８は、その光軸が、携帯端末３００の操作面の裏面に対して垂直方向、前方に向くように、操作面の裏面上に設置されており、その撮影方向は、固定されている。
【０２３９】
カメラ３１８は、被写体からの光を集め、撮像素子に像を結ぶレンズと、レンズを通じて、照射された光を電気信号に変換するＣＣＤ（Ｃｈａｒｇｅ  Ｃｏｕｐｌｅｄ  Ｄｅｖｉｃｅ）などの撮像素子と、生成された電気信号をデジタルの画像データに変換する画像処理エンジンとから構成されている。カメラ３１８は、画像処理エンジンにより生成した写真画像（画像データ）を、カメラ入力部３１７に対して出力する。
【０２４０】
カメラ３１８の水平画角は、例えば、略９０度であり、垂直画角は、例えば、略４５度である。
【０２４１】
カメラ入力部３１７は、カメラ３１８から、写真画像を受け取り、受け取った写真画像を記憶部３０２に、写真画像３３１、３３２等として、書き込む。
【０２４２】
（６）タッチパネル３１０、入力部３１１及び入出力制御部３０９
タッチパネル３１０は、矩形の表示面を有する表示パネル部及び表示面に取り付けられたタッチパッド部から構成されている。表示パネル部は、一例として、液晶ディスプレイである。タッチパッド部は、タッチパネル３１０の操作面に対する利用者の指等の操作体の接触を検出する。
【０２４３】
タッチパネル３１０は、図１７に示すように、一例として、メニュー画面３４１及び写真を選択するための画面３５１を表示する。
【０２４４】
メニュー画面３４１には、操作用の複数のアイコンが表示されている。複数のアイコンには、写真を選択して、送信するためのアイコン３４２が含まれている。アイコン３４２が利用者により操作されると、タッチパネル３１０は、画面３５１を表示する。
【０２４５】
画面３５１には、写真画像を選択するための選択リスト３５２及び写真の送信を指示するボタン３５３が含まれている。利用者により、選択リスト３５２から、一又は複数の写真画像が選択され、ボタン３５３が操作されると、選択された写真画像が、無線により、携帯端末３００から、画像形成装置１０に対して、送信される。
【０２４６】
入力部３１１は、複数のボタンを備える。各ボタンは、利用者により押下されることにより、操作される。
【０２４７】
入出力制御部３０９は、入力信号として、入力部３１１から操作信号を受け取る。操作信号の一つは、カメラ３１８に対する操作を示す。また、入力信号として、タッチパネル３１０から位置情報を受け取る。入出力制御部３０９は、受け取った入力信号を主制御部３０１に対して出力する。また、入出力制御部３０９は、主制御部３０１から、文字や画像を受け取り、受け取った文字や画像をタッチパネル３１０に出力して表示するように制御する。
【０２４８】
（７）主制御部３０１
主制御部３０１は、記憶部３０２、第一通信制御部３０５、音声処理部３０６、入出力制御部３０９、第二通信制御部３１４及びカメラ入力部３１７を制御する。
【０２４９】
主制御部３０１は、入出力制御部３０９から、カメラ３１８による撮影の操作を示す入力信号及び写真画像を画像形成装置１０に対して送信する指示を示す入力信号を受け取る。
【０２５０】
入出力制御部３０９から、撮影の操作を示す入力信号を受け取ると、主制御部３０１は、カメラ入力部３１７に対して、カメラ３１８により撮影するよう、制御する。また、主制御部３０１は、カメラ入力部３１７から、写真画像を受け取る。写真画像を受け取ると、受け取った写真画像を記憶部３０２に書き込む。
【０２５１】
また、入出力制御部３０９から、写真画像を画像形成装置１０に対して送信する指示を示す入力信号を受け取ると、主制御部３０１は、第二無線通信部３１５に対して、記憶部３０２に記憶されている写真画像を、画像形成装置１０に対して送信するように指示し、送信すべき写真画像を記憶部３０２から読み出し、読み出した写真画像を、第二無線通信部３１５に対して、出力する。
【０２５２】
１．６  画像形成システム１の動作
画像形成システム１の動作について、説明する。
【０２５３】
（１）画像形成装置１０の概要の動作
メニュー画面４０１を表示後、プリントを実行するまでの、画像形成装置１０の概要の動作について、図１８に示すフローチャートを用いて説明する。
【０２５４】
表示制御部１１１は、初期のメニュー画面を生成し（ステップＳ１０１）、操作パネル１９は、メニュー画面を表示する（ステップＳ１０２）。操作パネル１９は、利用者の操作による選択肢の選択を受け付ける（ステップＳ１０３）。
【０２５５】
表示制御部１１１は、受け付けた選択肢の内容を判断する（ステップＳ１０４）。選択肢の内容が次のメニュー画面の表示である場合、又は、「戻る」である場合（ステップＳ１０４で「次のメニュー画面の表示又は戻る」）、表示制御部１１１は、次のメニュー画面を生成する（ステップＳ１０５）。次に、表示制御部１１１は、制御をステップＳ１０２に移す。
【０２５６】
選択肢の内容が外装選択である場合（ステップＳ１０４で「外装選択」）、外装選択の処理が行なわれ（ステップＳ１０６）、次に、表示制御部１１１は、制御をステップＳ１０５に移す。
【０２５７】
選択肢の内容が外装スキャンである場合（ステップＳ１０４で「外装スキャン」）、外装スキャンが行なわれ（ステップＳ１０７）、次に、表示制御部１１１は、制御をステップＳ１０５に移す。
【０２５８】
選択肢の内容がデザインスキャンである場合（ステップＳ１０４で「デザインスキャン」）、デザインスキャンが行なわれ（ステップＳ１０８）、次に、表示制御部１１１は、制御をステップＳ１０５に移す。
【０２５９】
選択肢の内容がデザイン選択である場合（ステップＳ１０４で「デザイン選択」）、デザイン選択が行なわれ（ステップＳ１０９）、次に、表示制御部１１１は、制御をステップＳ１０５に移す。
【０２６０】
選択肢の内容が基調色の抽出である場合（ステップＳ１０４で「基調色の抽出」）、写真から基調色の抽出が行なわれ（ステップＳ１１０）、次に、表示制御部１１１は、制御をステップＳ１０５に移す。
【０２６１】
選択肢の内容がプリント実行である場合（ステップＳ１０４で「プリント実行」）、プリントが実行され（ステップＳ１１１）、次に、表示制御部１１１は、制御をステップＳ１０１に移す。
【０２６２】
選択肢の内容がその他である場合（ステップＳ１０４で「その他」）、その他の処理が実行され（ステップＳ１１２）、次に、表示制御部１１１は、制御をステップＳ１０１に移す。
【０２６３】
以上により、画像形成装置１０の概要の動作の説明を終了する。
【０２６４】
（２）外装選択の動作
画像形成装置１０による外装選択の動作について、図１９に示すフローチャートを用いて説明する。なお、ここで説明する動作は、図１８のステップＳ１０６の詳細である。
【０２６５】
表示制御部１１１は、記憶部１０５に記憶されている装置リスト２２１から、全ての型番情報を読み出す（ステップＳ２０１）。
【０２６６】
次に、表示制御部１１１は、読み出した全ての型番情報について、チェックボックスの画像、型番情報に含まれる機種名及び型番からなる組を生成し、生成した複数の組からなる装置メニューを生成する（ステップＳ２０２）。次に、表示制御部１１１は、生成した装置メニューを画面テンプレート４２１ａ内の装置メニュー領域に配して装置の選択を行うための画面４２１を生成し、操作パネル１９は、画面４２１を表示する（ステップＳ２０３）。
【０２６７】
操作パネル１９は、利用者により、画面４２１の装置メニュー４２２から、機種名及び型番の組の選択を受け付ける（ステップＳ２０４）。表示制御部１１１は、利用者の操作を判断し（ステップＳ２０５）、利用者の操作が「取消」である場合（ステップＳ２０５で「取消」）、表示制御部１１１は、外装選択の動作を終了する。
【０２６８】
利用者の操作が「確定」である場合（ステップＳ２０５で「確定」）、表示制御部１１１は、利用者により選択された装置の型番により識別される装置画像を記憶部１０５から読み出す（ステップＳ２０６）。次に、表示制御部１１１は、読み出した装置画像を含む画面４３１を生成する（ステップＳ２０７）。次に、操作パネル１９は、画面４３１を表示する（ステップＳ２０８）。
【０２６９】
操作パネル１９は、利用者から、装置の外装部材の選択を受け付ける（ステップＳ２０９）。ここで、操作パネル１９は、利用者から複数の外装部材の選択を受け付けるとしてもよい。表示制御部１１１は、利用者の操作を判断し（ステップＳ２１０）、利用者の操作が「取消」である場合（ステップＳ２１０で「取消」）、表示制御部１１１は、外装選択の動作を終了する。
【０２７０】
利用者の操作が「確定」である場合（ステップＳ２１０で「確定」）、表示制御部１１１は、利用者により選択された外装部材を識別する外装部材番号を記憶部１０５に書き込む（ステップＳ２１１）。次に、表示制御部１１１は、外装表示の選択肢を反転させる（ステップＳ２１２）。次に、表示制御部１１１は、外装フラグ２９１を「１」に設定する（ステップＳ２１３）。
【０２７１】
以上により、画像形成装置１０による外装選択の動作を終了する。
【０２７２】
（３）外装スキャンの動作
画像形成装置１０による外装スキャンの動作について、図２０に示すフローチャートを用いて説明する。なお、ここで説明する動作は、図１８のステップＳ１０７の詳細である。
【０２７３】
表示制御部１１１は、イメージリーダー部１１によるスキャンを促すための画面４４１を記憶部１０５から読み出す（ステップＳ２３１）。次に、操作パネル１９は、画面４４１を表示する（ステップＳ２３２）。ここで、利用者は、スマートフォンの一面を下向きにして、イメージリーダー部１１の原稿ガラス板上に置く。
【０２７４】
画面４４１が表示された状態で、表示制御部１１１は、利用者の操作を判断する（ステップＳ２３３）。取消のボタン４４３が操作された場合（ステップＳ２３３で「取消」）、表示制御部１１１は、外装スキャンの動作を終了する。
【０２７５】
スキャン実行のボタン４４４が操作された場合（ステップＳ２３３で「スキャン実行」）、イメージリーダー部１１は、スキャンを実行し、スキャンにより生成した外装スキャン画像を記憶部１０５に書き込む（ステップＳ２３４）。画像処理部１０６は、イメージリーダー部１１によるスキャンにより生成した画像を縮小して、プレビュー画像を生成する（ステップＳ２３５）。次に、表示制御部１１１は、画面テンプレート４５１ａの外装プレビュー画像領域に、プレビュー画像を配置して、画面４５１を生成する（ステップＳ２３６）。次に、操作パネル１９は、画面４５１を表示する（ステップＳ２３７）。
【０２７６】
画面４５１が表示された状態で、表示制御部１１１は、利用者の操作を判断する（ステップＳ２３８）。取消のボタン４５４が操作された場合（ステップＳ２３８で「取消」）、表示制御部１１１は、外装スキャンの動作を終了する。
【０２７７】
確定のボタン４５５が操作された場合（ステップＳ２３８で「確定」）、表示制御部１１１は、外装スキャンの選択肢を反転させる（ステップＳ２３９）。次に、表示制御部１１１は、外装フラグ２９１を「２」に設定する（ステップＳ２４０）。
【０２７８】
以上により、画像形成装置１０による外装スキャンの動作を終了する。
【０２７９】
（４）デザインスキャンの動作
画像形成装置１０によるデザインスキャンの動作について、図２１に示すフローチャートを用いて説明する。なお、ここで説明する動作は、図１８のステップＳ１０８の詳細である。
【０２８０】
表示制御部１１１は、イメージリーダー部１１によるスキャンを促すための画面４６１を記憶部１０５から読み出す（ステップＳ２５１）。次に、操作パネル１９は、画面４６１を表示する（ステップＳ２５２）。
【０２８１】
画面４６１が表示された状態で、表示制御部１１１は、利用者の操作を判断する（ステップＳ２５３）。取消のボタン４６３が操作された場合（ステップＳ２５３で「取消」）、表示制御部１１１は、デザインスキャンの動作を終了する。
【０２８２】
スキャン実行のボタン４６４が操作された場合（ステップＳ２５３で「スキャン実行」）、イメージリーダー部１１は、スキャンを実行し、スキャンにより生成したデザインスキャン画像を記憶部１０５に書き込む（ステップＳ２５４）。画像処理部１０６は、イメージリーダー部１１によるスキャンにより生成した画像を縮小して、プレビュー画像を生成する（ステップＳ２５５）。次に、表示制御部１１１は、画面テンプレート４７１ａのデザインプレビュー画像領域に、プレビュー画像を配置して、画面４７１を生成する（ステップＳ２５６）。次に、操作パネル１９は、画面４７１を表示する（ステップＳ２５７）。
【０２８３】
画面４７１が表示された状態で、表示制御部１１１は、利用者の操作を判断する（ステップＳ２５８）。取消のボタン４７４が操作された場合（ステップＳ２５８で「取消」）、表示制御部１１１は、デザインスキャンの動作を終了する。
【０２８４】
確定のボタン４７５が操作された場合（ステップＳ２５８で「確定」）、表示制御部１１１は、デザインスキャンの選択肢を反転させる（ステップＳ２５９）。次に、表示制御部１１１は、デザインフラグ２９２を「２」に設定する（ステップＳ２６０）。
【０２８５】
以上により、画像形成装置１０によるデザインスキャンの動作を終了する。
【０２８６】
（５）デザイン選択の動作
画像形成装置１０によるデザイン選択の動作について、図２２に示すフローチャートを用いて説明する。なお、ここで説明する動作は、図１８のステップＳ１０９の詳細である。
【０２８７】
表示制御部１１１は、記憶部１０５に記憶されているデザインリスト２５１から、全てのデザインＩＤを読み出す（ステップＳ２７１）。次に、画像処理部１０６は、読み出した全てのデザインＩＤにより識別されるデザイン画像を読み出す（ステップＳ２７２）。次に、画像処理部１０６は、読み出したデザイン画像を縮小した縮小デザイン画像又は読み出したデザイン画像の一部分を切り出した部分デザイン画像を生成する（ステップＳ２７３）。次に、表示制御部１１１は、チェックボックスの画像及び縮小デザイン画像又は部分デザイン画像を含むデザインメニューを生成し、デザインメニューを画面テンプレート４８１ａ内のデザインメニュー領域に配することにより、画面４８１を生成する（ステップＳ２７４）。操作パネル１９は、画面４８１を表示する（ステップＳ２７５）。
【０２８８】
操作パネル１９は、利用者から部分デザイン画像又は縮小デザイン画像の選択を受け付ける（ステップＳ２７６）。
【０２８９】
画面４８１が表示された状態で、表示制御部１１１は、利用者の操作を判断する（ステップＳ２７７）。取消のボタン４８８が操作された場合（ステップＳ２７７で「取消」）、表示制御部１１１は、デザイン選択の動作を終了する。
【０２９０】
確定のボタン４８９が操作された場合（ステップＳ２７７で「確定」）、表示制御部１１１は、選択された部分デザイン画像又は縮小デザイン画像に対応するデザインＩＤを記憶部１０５に書き込む（ステップＳ２７８）。次に、表示制御部１１１は、デザイン選択の選択肢を反転させる（ステップＳ２７９）。次に、表示制御部１１１は、デザインフラグ２９２を「１」に設定する（ステップＳ２８０）。
【０２９１】
以上により、画像形成装置１０によるデザイン選択の動作を終了する。
【０２９２】
（６）写真画像からの基調色の抽出の動作
画像形成装置１０による写真画像からの基調色の抽出の動作について、図２３に示すフローチャートを用いて説明する。なお、ここで説明する動作は、図１８のステップＳ１１０の詳細である。
【０２９３】
外装画像処理部１１２は、記憶部１０５から、一つの写真画像を読み出す（ステップＳ２９１）。次に、外装画像処理部１１２は、読み出した写真画像について、写真画像を色毎に、ブロックに分割する（ステップＳ２９２）。
【０２９４】
次に、外装画像処理部１１２は、各ブロックの面積を算出し（ステップＳ２９３）、算出した各ブロックの面積を記憶する（ステップＳ２９４）。
【０２９５】
外装画像処理部１１２は、記憶部１０５に記憶されている全ての写真画像について、読み出しが終了していない場合（ステップＳ２９５で「ＮＯ」）、ステップＳ２９１〜ステップＳ２９４を繰り返す。
【０２９６】
記憶部１０５に記憶されている全ての写真画像について、読み出しが終了した場合（ステップＳ２９５で「ＹＥＳ」）、外装画像処理部１１２は、全ての写真画像について、色毎に、ブロックの面積を集計する（ステップＳ２９６）。
【０２９７】
次に、外装画像処理部１１２は、色毎の面積のうち、最大の面積を算出し、次に、最大の面積に対応する色を、基調色として、選択し、選択した基調色を示す識別情報を記憶する（ステップＳ２９７）。
【０２９８】
次に、表示制御部１１１は、基調色の抽出の選択肢を反転させる（ステップＳ２９８）。次に、表示制御部１１１は、写真フラグ２９３を「１」に設定する（ステップＳ２９９）。
【０２９９】
以上により、画像形成装置１０による写真画像からの基調色の抽出の動作を終了する。
【０３００】
（７）プリント実行の動作
プリント実行の動作について、図２４に示すフローチャートを用いて説明する。なお、ここで説明する動作は、図１８のステップＳ１１１の詳細である。
【０３０１】
外装フラグ２９１が「０」である場合、又は、デザインフラグ２９２が「０」である場合（ステップＳ３００で「ＹＥＳ」）、対象物の外装部材が特定されていない、又は、デザインが特定されていないので、外装画像処理部１１２は、プリント実行を行うことなく、終了する。
【０３０２】
外装画像処理部１１２は、外装フラグ２９１が「０」でなく、かつ、デザインフラグ２９２が「０」でない場合（ステップＳ３００で「ＮＯ」）、外装フラグ２９１が「１」であるとき（ステップＳ３０１で「１」）、外装画像処理部１１２は、記憶部１０５から、利用者により選択された装置の型番及び利用者に選択された外装部材の外装部材番号を読み出す（ステップＳ３０２）。次に、外装画像処理部１１２は、外装部材リスト２４１から、読み出した型番及び外装部材に対応する形状情報を読み出す（ステップＳ３０３）。次に、画像処理部１０６は、読み出した形状情報により、画像メモリ１０４上に、外装部材の外縁形状を平面上に展開した枠画像を生成する（ステップＳ３０４）。
【０３０３】
外装フラグ２９１が「２」である場合（ステップＳ３０５で「２」）、外装画像処理部１１２は、記憶部１０５から、画像メモリ１０４上に、外装スキャン画像を読み出し、読み出した外装スキャン画像から、外装部材の外縁形状を平面上に展開した枠画像を生成する（ステップＳ３０６）。
【０３０４】
デザインフラグ２９２が「１」である場合（ステップＳ３０７で「１」）、外装画像処理部１１２は、記憶部１０５から、利用者により選択されたデザイン画像を識別するデザインＩＤを読み出す（ステップＳ３０８）。次に、外装画像処理部１１２は、記憶部１０５から、画像メモリ１０４上に、読み出したデザインＩＤにより識別されるデザイン画像を読み出す（ステップＳ３０９）。外装画像処理部１１２は、写真フラグ２９３が「０」であるか「１」であるかを判断する（ステップＳ３１０）。写真フラグ２９３が「１」である場合（ステップＳ３１０で「１」）、外装画像処理部１１２は、枠画像内に基調色を塗布する（ステップＳ３１１）。写真フラグ２９３が「０」である場合（ステップＳ３１０で「≠１」）、外装画像処理部１１２は、基調色を塗布しない。次に、画像処理部１０６は、枠画像内に、読み出したデザイン画像内の模様を描画する（ステップＳ３１２）。
【０３０５】
デザインフラグ２９２が「２」である場合（ステップＳ３１３で「２」）、外装画像処理部１１２は、記憶部１０５から、画像メモリ１０４上に、デザインスキャン画像を読み出す（ステップＳ３１４）。外装画像処理部１１２は、写真フラグ２９３が「０」であるか「１」であるかを判断する（ステップＳ３１５）。写真フラグ２９３が「１」である場合（ステップＳ３１５で「１」）、外装画像処理部１１２は、枠画像内に基調色を塗布する（ステップＳ３１６）。写真フラグ２９３が「０」である場合（ステップＳ３１５で「≠１」）、外装画像処理部１１２は、基調色を塗布しない。次に、画像処理部１０６は、枠画像内に、読み出したデザインスキャン画像内の模様を描画する（ステップＳ３１７）。
【０３０６】
外装画像の生成が終了すると、プリンター制御部１０８は、プリンター部１２に、外装画像を印刷させる（ステップＳ３１８）。
【０３０７】
以上により、プリント実行の動作を終了する。
【０３０８】
（８）写真送信の動作
写真送信の動作について、図２５に示すフローチャートを用いて説明する。
【０３０９】
携帯端末３００のタッチパネル３１０は、利用者から写真送信の指示を受け付ける（ステップＳ３４１）。次に、タッチパネル３１０は、利用者から写真画像の選択を受け付ける（ステップＳ３４２）。次に、タッチパネル３１０は、利用者から送信のボタンの操作を受け付ける（ステップＳ３４３）。
【０３１０】
携帯端末３００の第二無線通信部３１５と画像形成装置１０の無線通信部１１６とは、相手装置の認証を行う（ステップＳ３４４）。
【０３１１】
機器認証に成功すると、主制御部３０１は、記憶部３０２から一つの写真画像を読み出す（ステップＳ３４５）。次に、第二無線通信部３１５は、読み出した写真画像を無線により送信し、無線通信部１１６は、写真画像を受信する（ステップＳ３４６）。無線通信部１１６は、受信した写真画像を記憶部１０５に書き込む（ステップＳ３４８）。
【０３１２】
記憶部３０２からの写真画像の読み出しが終了していなければ（ステップＳ３４７で「ＮＯ」）、主制御部３０１は、ステップＳ３４５に制御を戻して、処理を繰り返す。
【０３１３】
記憶部３０２からの写真画像の読み出しが終了していれば（ステップＳ３４７で「ＹＥＳ」）、主制御部３０１は、第二無線通信部３１５を介して、終了通知を送信する。外装画像処理部１１２は、無線通信部１１６を介して、終了通知を受信する（ステップＳ３４９）。
【０３１４】
これにより、携帯端末３００から画像形成装置１０に対する写真画像の送信処理を終了する。
【０３１５】
１．７  まとめ
以上説明したように、実施の形態によると、携帯端末３００のカメラ３１８により、画像形成装置１０が配置された周辺を被写体として撮影により写真画像を生成する。生成した写真画像は、携帯端末３００から画像形成装置１０に対して送信され、記憶部１０５に記憶される。画像形成装置の外装画像処理部１１２は、記憶部１０５に記憶されている写真画像内の色毎の面積を算出し、最大の面積に対応する色を基調色とする。基調色が選択されると、外装部材の外縁形状内に、基調色を塗布し、さらに模様を描いて、外装画像を生成する。次に、プリンター部１２は、外装画像をシート上に印刷する。
【０３１６】
利用者は、シート上に印刷された外装画像をその形状に沿って切り取り、得られた外装画像が印刷されたシートを、画像形成装置１０の外装部材３２に貼り付ける。
【０３１７】
外装画像が表す基調色は、画像形成装置１０が配置された周辺を撮影して取得した色であるので、シートが貼り付けられた外装部材３２の表面の色は、画像形成装置１０が配置された周辺に施された色と調和している。
【０３１８】
この結果、周辺と調和した色の外装部材を製造する必要がなく、画像形成装置１０の部品点数が増えることがない。このため、製造コストが上昇することもない。
【０３１９】
２  変形例（１）
実施の形態の画像形成システム１の変形例（１）としての、画像形成システム１ａについて、説明する。
【０３２０】
画像形成システム１は、図２６（ａ）に示すように、画像形成システム１の構成要素である画像形成装置１０及び携帯端末３００に加えて、ヘッドマウントディスプレィ５００（眼鏡型表示装置）を備えて構成されている。
【０３２１】
２．１  ヘッドマウントディスプレィ５００
ヘッドマウントディスプレィ５００は、利用者の頭部に装着して使用される。
【０３２２】
ヘッドマウントディスプレィ５００は、図２７に示すように、ＣＰＵ５０１、ＲＯＭ５０２、ＲＡＭ５０３、表示制御部５０４、表示部５０５（表示手段）、操作部５０６（入力手段）、画像処理部５０７（描画手段）、カメラ５０８（撮影手段）、カメラ入力部５０９、無線通信部５１３（第二通信手段）等から構成されている。無線通信部５１３は、アンテナ５１０、無線通信回路５１１、無線通信制御部５１２を含んでいる。
【０３２３】
（１）ＣＰＵ５０１、ＲＯＭ５０２及びＲＡＭ５０３
ＲＯＭ５０２は、複数の制御プログラムを記憶している。各制御プログラムは、所定の機能を達成するために、ＣＰＵ５０１に対する指令を示す命令コードが複数個組み合わされて構成されたコンピュータープログラムである。
【０３２４】
ＲＡＭ５０３は、ＣＰＵ５０１における作業領域等を提供する。
【０３２５】
ＣＰＵ５０１は、ＲＯＭ５０２に記憶されている制御プログラムに従って動作することにより、ヘッドマウントディスプレィ５００は、その一部の機能を達成する。ＣＰＵ５０１、ＲＯＭ５０２及びＲＡＭ５０３は、図２７に示すように、機能的に主制御部５２１及び情報記憶部５２２を構成する。
【０３２６】
（２）情報記憶部５２２
情報記憶部５２２は、装置情報、基調色等を記憶するための領域を備えている。
【０３２７】
（３）カメラ５０８、カメラ入力部５０９及び画像処理部５０７
カメラ５０８は、撮影により、写真画像を生成する。カメラ５０８は、生成した写真画像を、カメラ入力部５０９を介して、画像処理部５０７に対して出力する。
【０３２８】
利用者がヘッドマウントディスプレィ５００を使用する際には、カメラ５０８の撮影範囲に、エリア内に配置された画像形成装置１０が含まれるように、利用者により、ヘッドマウントディスプレィ５００の向きが設定される。
【０３２９】
カメラ入力部５０９は、カメラ５０８と画像処理部５０７との間で、写真画像を中継する。
【０３３０】
画像処理部５０７（描画手段）は、カメラ５０８から、カメラ入力部５０９を介して、写真画像を受け取る。また、画像処理部５０７は、主制御部５２１から、装置情報及び基調色を示す識別情報を受け取る。ここで、画像処理部５０７は、基調色を示す識別情報に加えて、基調模様を示す識別情報を受け取るとしてもよい。つまり、画像処理部５０７は、デザインを示す識別情報を受け取るとしてもよい。
【０３３１】
また、画像処理部５０７は、写真画像内において、受け取った装置情報により識別される装置が表された画像部分を特定する。次に、画像処理部５０７は、特定した画像部分において、受け取った装置情報に含まれる前記外縁形状に相当する位置を特定する。次に、画像処理部５０７は、写真画像内で特定した位置において、前記外縁形状に相当する形状内に、受信した前記基調色を上書きする。ここで、画像処理部５０７は、基調色に加えて、基調模様を上書きしてもよい。つまり、画像処理部５０７は、基調色と基調模様からなるデザインを上書きしてもよい。
【０３３２】
次に、画像処理部５０７は、基調色が上書きされた写真画像を、表示制御部５０４を介して、表示部５０５に対して出力する。
【０３３３】
操作部５０６が基調色（又は、基調模様）を承認しない旨を受け取る場合（後述する）、画像処理部５０７は、基調色（又は、基調模様）を、他の基調色（又は、基調模様）に変更し、写真画像内の外縁形状に相当する形状内に、変更した基調色（又は、基調模様）を上書きする。
【０３３４】
（４）アンテナ５１０、無線通信回路５１１及び無線通信制御部５１２
アンテナ５１０、無線通信回路５１１及び無線通信制御部５１２は、ＩＥＥＥ８０２．１１ａ、ｂ、ｎ、ａｃ等の無線ＬＡＮの規格に基づいて、無線による通信を行う。
【０３３５】
アンテナ５１０は、画像形成装置１０との間で、無線により、無線信号を送受信する。
【０３３６】
無線通信回路５１１は、アンテナ５１０により送受信される無線信号の周波数選択や周波数変換等を行う。
【０３３７】
無線通信制御部５１２は、無線通信回路５１１から受け取った信号を復調し、主制御部５２１に対して出力する。また、無線通信制御部５１２は、主制御部５２１から受け取った信号を変調して、無線通信回路５１１に対して出力する。
【０３３８】
（５）操作部５０６
操作部５０６は、複数のボタンから構成されている。利用者により、これらのボタンが押下されると、各ボタンに対応する操作信号を生成する。次に、生成した操作信号を主制御部５２１に対して出力する。
【０３３９】
複数のボタンのうちの、一つのボタンの押下は、ヘッドマウントディスプレィ５００に対する操作の開始を示す。このボタンが押下されると、操作部５０６は、ヘッドマウントディスプレィ５００に対する操作の開始を示す操作開始信号を生成し、生成した操作開始信号を主制御部５２１に対して出力する。
【０３４０】
別のボタンの押下は、表示部５０５により表示された写真画像に表されたデザイン（色、模様、又は色及び模様の組合せ）を承認する旨を示す。
【０３４１】
さらに別のボタンの押下は、表示部５０５により表示された写真画像に表されたデザインを承認しない旨を示す。
【０３４２】
（６）表示制御部５０４及び表示部５０５
表示制御部５０４は、画像処理部５０７から、写真画像を受け取り、受け取った写真画像を表示部５０５に対して出力する。
【０３４３】
表示部５０５は、一例として、液晶ディスプレイである。表示部５０５は、表示制御部５０４から受け取った写真画像を表示する。
【０３４４】
表示部５０５により表示される画面の一例を図２６（ｂ）に示す。この図に示す画面５３１に表示される画像は、画像形成装置を表した部分画像を含んでいる。なお、本来であれば、図２６（ｂ）に示す画面５３１には、画像形成装置の背景、つまり、壁、天井や、その周辺に配置されたオフィス家具等の画像が含まれるが、表示を簡略化するため、この図においては、画像形成装置の背景等の画像の記載を省略している。
【０３４５】
（７）主制御部５２１
主制御部５２１は、操作部５０６から、利用者の操作を示す操作信号を受け取る。操作信号を受け取ると、主制御部５２１は、操作信号に応じた処理を行う。
【０３４６】
操作信号として、操作部５０６から、利用者によるヘッドマウントディスプレィ５００に対する操作の開始を示す操作開始信号を受け取った場合、主制御部５２１は、画像処理部５０７、カメラ入力部５０９及び表示制御部５０４を制御して、カメラ５０８により生成した写真画像を、加工し、又は、そのまま、表示部５０５に出力して表示するように、制御する。
【０３４７】
２．２  画像形成システム１ａの動作
画像形成システム１ａにおける動作について、図２８〜図２９に示すフローチャートを用いて説明する。
【０３４８】
操作部５０６は、ヘッドマウントディスプレィ５００に対する操作（表示）の開始を示すボタンの押下を受け付ける（ステップＳ４０１）。
【０３４９】
ヘッドマウントディスプレィ５００の無線通信部５１３と画像形成装置１０の無線通信部１１６とは、相手装置の認証を行う（ステップＳ４０２）。
【０３５０】
機器認証に成功すると、主制御部５２１は、表示要求を生成し（ステップＳ４０３）、生成した表示要求を、無線通信部５１３及び無線通信部１１６を介して、外装画像処理部１１２に対して、送信する。外装画像処理部１１２は、表示要求を受信する（ステップＳ４０４）。
【０３５１】
外装画像処理部１１２は、記憶部１０５から、自身（画像形成装置１０）の装置情報（外縁形状を含む）を読み出し（ステップＳ４０５）、読み出した装置情報を、無線通信部１１６及び無線通信部５１３を介して、主制御部５２１に対して、送信する。主制御部５２１は、装置情報を受信する（ステップＳ４０６）。主制御部５２１は、受信した装置情報を情報記憶部５２２に書き込む（ステップＳ４０７）。
【０３５２】
また、外装画像処理部１１２は、記憶部１０５から、基調色（又は、基調模様）を示す識別情報を読み出し（ステップＳ４０８）、読み出した識別情報を、無線通信部１１６及び無線通信部５１３を介して、主制御部５２１に対して、送信する。主制御部５２１は、識別情報を受信する（ステップＳ４０９）。主制御部５２１は、受信した識別情報を情報記憶部５２２に書き込む（ステップＳ４１０）。
【０３５３】
カメラ５０８は、撮影により、写真画像を生成する。写真画像には、画像形成装置１０を表した部分画像及び画像形成装置１０が配されている背景の画像が含まれている（ステップＳ４１１）。
【０３５４】
次に、画像処理部５０７は、写真画像内において、受け取った装置情報により識別される装置が表された画像部分を特定し、特定した画像部分において、受け取った装置情報に含まれる前記外縁形状に相当する位置を特定する（ステップＳ４１２）。
【０３５５】
次に、画像処理部５０７は、写真画像内において、前記外縁形状に相当する形状内に、受信した前記基調色を上書き（塗布）する（ステップＳ４１３）。
【０３５６】
次に、画像処理部５０７は、基調色が上書きされた写真画像を、表示制御部５０４を介して、表示部５０５に対して出力し、表示部５０５は、写真画像を表示する（ステップＳ４１４）。
【０３５７】
操作部５０６は、利用者から、表示部５０５により表示された写真画像に表された色を承認するか否かの入力を受け付ける（ステップＳ４１５）。
【０３５８】
利用者から承認する旨の入力を受け付けた場合（ステップＳ４１６で「ＹＥＳ」）、主制御部５２１は、承認された旨（承認信号）、及び、承認された基調色（又は、基調模様）を識別する識別情報を、無線通信部５１３及び無線通信部１１６を介して、外装画像処理部１１２に対して、送信する。外装画像処理部１１２は、承認された旨、及び、承認された基調色（又は、基調模様）を識別する識別情報を受信する（ステップＳ４１９）。
【０３５９】
承認された旨を受信すると、外装画像処理部１１２は、承認された基調色（又は、基調模様）を識別する識別情報を記憶部１０５に書き込む（ステップＳ４２０）。次に、記憶部に書き込まれた基調色（又は、基調模様）を用いて、プリントが実行される（ステップＳ４２１）。ここで、ステップＳ４２１におけるプリント実行は、図１８のステップＳ１１１に示すプリント実行と同じである。
【０３６０】
利用者から承認しない旨の入力を受け付けた場合（ステップＳ４１６で「ＮＯ」）、主制御部５２１は、受け取った基調色（又は、基調模様）を他の基調色（又は、他の基調模様）に変更する（ステップＳ４１７）。次に、画像処理部５０７は、変更された基調色（又は、他の基調模様）を写真画像に塗布する（ステップＳ４１８）。次に、主制御部５２１は、ステップＳ４１４に制御を移して、処理を繰り返す。
【０３６１】
以上により、画像形成システム１ａにおける動作の説明を終了する。
【０３６２】
２．３  まとめ
以上説明したように、変形例（１）によると、利用者は、画像形成装置による印刷前に、画像形成装置の外装部材に貼り付けるべきシートに印刷される画像を、ヘッドマウントディスプレィにより、視認することができる。
【０３６３】
また、ヘッドマウントディスプレィには、画像形成装置が配置されているエリア内の壁や天井も、表示されるので、利用者は、エリアの壁や天井等に施されたデザインと、画像形成装置に貼り付けられるシートに印刷されるべきデザインとが調和しているか、視認することができる。
【０３６４】
３  その他の変形例
本発明について、上記の実施の形態に基づいて説明しているが、上記の実施の形態に限定されない。以下に示すようにしてもよい。
【０３６５】
（１）上記の実施の形態においては、携帯端末が備えるカメラにより、画像形成装置が配置されているエリア内の壁や天井に施されたデザインを撮影し、写真画像を生成している。しかし、これには、限定されない。
【０３６６】
携帯端末に代えて、カメラ（写真機、撮影装置）により、画像形成装置が配置されているエリア内の壁や天井に施されたデザインを撮影し、写真画像を生成してもよい。カメラには、利用者により、記録媒体が装着される。カメラは、被写体からの光を集め、撮像素子に像を結ぶレンズと、レンズを通じて、照射された光を電気信号に変換するＣＣＤなどの撮像素子（撮影手段）と、生成された電気信号をデジタルの写真画像に変換する画像処理エンジンと、生成した写真画像を記録媒体に書き込む書込手段（出力手段）を備える。写真画像が書き込まれた記録媒体は、利用者により、カメラから取り外され、取り外された記録媒体は、画像形成装置１０に装着される。画像形成装置１０は、記録媒体から写真画像を読み出す読出手段（デザイン取得手段）を備える。読出手段は、記録媒体から写真画像を読み出す。これにより、対象物（例えば、画像形成装置１０）が配されるべきエリア内に描かれたデザインを取得する。
【０３６７】
また、画像形成装置は、レンズと、撮像素子と、画像処理エンジンとから構成されるカメラ（撮影手段）を備え、このカメラにより、画像形成装置が配置されているエリア内の壁や天井に施されたデザインを撮影し、写真画像を生成してもよい。
【０３６８】
（２）上記の実施の形態においては、外装画像処理部１１２は、写真画像において、色又は模様が占める面積に応じて、一つの色又は一つの模様を選択している。例えば、画像形成装置の外装画像処理部１１２は、記憶部１０５に記憶されている写真画像内の色（又は、模様）毎の面積を算出し、最も広い面積を占める色（又は、模様）を基調色（又は、基調模様）として選択している。しかし、この方法には、限定されない。
【０３６９】
写真画像には、複数の色（又は、複数の模様）が含まれるとしてもよい。外装画像処理部１１２は、１枚又は複数枚の写真画像に表された複数の色（又は、複数の模様）のうち、占める面積がより広い上位から、所定数の、例えば、３個の色候補（又は、模様候補）を抽出してもよい。外装画像処理部１１２は、操作パネル１９に、所定数の色候補（又は、模様候補）を表示させる。操作パネル１９は、利用者の操作により、表示された所定数の色候補（又は、模様候補）から、一つの色候補（又は、模様候補）の指定を受け付ける。外装画像処理部１１２の抽出部１１２ａは、利用者により指定された色候補（又は、模様候補）を、一つの基調色（又は、基調模様）として抽出する。
【０３７０】
上記の方法を、変形例（１）において適用してもよい。すなわち、画像形成装置１０は、所定数の色候補（又は、模様候補）を、ヘッドマウントディスプレィ５００に対して送信する。ヘッドマウントディスプレィ５００の表示部５０５は、所定数の色候補（又は、模様候補）のうちの一つの色候補（又は、模様候補）を、外縁形状に相当する形状内に描いて、表示し、ヘッドマウントディスプレィ５００は、利用者に承認を求める。利用者の承認が得られた場合、承認を示す旨及び承認された色候補（又は、模様候補）を識別する識別情報を画像形成装置１０に対して送信する。利用者の承認が得られない場合、ヘッドマウントディスプレィ５００は、次の色候補（又は、模様候補）を表示し、利用者に承認を求める。以下、全ての所定数の色候補（又は、模様候補）について、表示と承認の要請を繰り返す。全ての所定数の色候補（又は、模様候補）について、利用者の承認が得られない場合、その旨を画像形成装置１０に対して送信する。この場合、画像形成装置１０は、シートの印刷を中止する。
【０３７１】
ここで、ヘッドマウントディスプレィ５００は、一つの色候補と一つの模様候補を組み合わせて（つまり、デザインとして）、表示してもよい。つまり、外縁形状に相当する形状内に描いて、一つの色候補の色を塗布し、その上に、模様候補の模様を描いてもよい。このように、色候補と模様候補の全ての組合せについて、順に、表示し、利用者の承認を求めるとしてもよい。
【０３７２】
（３）上記のように、外装画像処理部１１２は、写真画像に表された複数の模様のうち、一つの模様を抽出している。ここで、操作パネル１９は、利用者の操作により、一つの色の指定を受け付ける、としてもよい。
【０３７３】
画像処理部１０６は、形状情報（外縁形状及び寸法）により、画像メモリ１０４上に、平面上に外装部材を表した枠画像（形状）を生成する。次に、画像処理部１０６は、指定された一つの色を、平面上に展開された枠画像の枠内に、塗布し、塗布された前記色の上に、抽出された前記模様を描く、としてもよい。
【０３７４】
ここで、記憶部１０５は、複数の色をそれぞれ示す複数の色見本を記憶している、としてもよい。操作パネル１９は、複数の色見本を表示してもよい。また、操作パネル１９は、利用者から一つの色見本の指定を受け付ける、としてもよい。
【０３７５】
また、原稿面には、利用者により指定された色が表されており、イメージリーダー部１１は、原稿面を読み取って、利用者により指定された色を表す読取画像データを生成してもよい。画像処理部１０６は、形状情報（外縁形状及び寸法）により、画像メモリ１０４上に、平面上に外装部材を表した枠画像（形状）を生成する。次に、画像処理部１０６は、読取画像データに表された色を、平面上に展開された枠画像の枠内に、塗布し、塗布された前記色の上に、抽出された前記模様を描く、としてもよい。
【０３７６】
（４）上記のように、外装画像処理部１１２は、写真画像に表された複数の色のうち、一つの色を抽出している。ここで、操作パネル１９は、利用者の操作により、一つの模様の指定を受け付ける、としてもよい。
【０３７７】
画像処理部１０６は、形状情報（外縁形状及び寸法）により、画像メモリ１０４上に、平面上に外装部材を表した枠画像（形状）を生成する。次に、画像処理部１０６は、抽出された一つの色を、平面上に展開された枠画像の枠内に、塗布し、塗布された前記色の上に、指定された前記模様を描く、としてもよい。
【０３７８】
ここで、記憶部１０５は、複数の模様をそれぞれ示す複数の模様見本を記憶している、としてもよい。操作パネル１９は、複数の模様見本を表示してもよい。また、操作パネル１９は、利用者から一つの模様見本の指定を受け付ける、としてもよい。
【０３７９】
また、原稿面には、利用者により指定された模様が表されており、イメージリーダー部１１は、原稿面を読み取って、利用者により指定された模様を表す読取画像データを生成してもよい。画像処理部１０６は、形状情報（外縁形状及び寸法）により、画像メモリ１０４上に、平面上に外装部材を表した枠画像（形状）を生成する。次に、画像処理部１０６は、抽出された色を、平面上に展開された枠画像の枠内に、塗布し、塗布された前記色の上に、読取画像データに表された模様を描く、としてもよい。
【０３８０】
（５）上記の実施の形態においては、予め記憶しているデザイン画像から一つのデザイン画像を選択し、又は、デザインが施されたシートから、イメージリーダー部１１により、デザインをスキャンし、選択した又はスキャンしたデザインを用いる、としている。しかし、これには、限定されない。
【０３８１】
画像形成装置１０は、利用者の操作により、線画、文字、記号等を用いて、描画することにより、デザイン画像を生成する画像描画部を備える、としてもよい。
【０３８２】
（６）画像形成装置１０の給紙部１３には、外装画像の外縁に沿って、簡単に切り取ることができるように、連続した小穴（切り取り線、ミシン目）が打ち抜かれた専用のシートが収容される、としてもよい。この専用のシートに印刷することにより、印刷後、面倒な切り取り作業を無くすことができる。
【０３８３】
また、画像形成装置１０の給紙部１３には、熱、圧力等が加えられると、これらに反応して、発色するクロミック材料等の特殊シートが収容される、としてもよい。画像形成装置１０に対して、利用者により、特殊シートの使用が通知されると、特殊シートが定着ニップを通過する際に、定着部は、特殊シートに適合した温度及び圧力により、加熱及び加圧する。この結果、よりデザイン性に富んだ外装とすることができる。
【０３８４】
（７）上記の実施の形態において、画像形成装置１０は、電子写真方式により画像形成を行うとしているが、本発明は、これには、限定されない。インクジェット方式により、印刷を行う印刷装置である、としてもよい。
【０３８５】
（８）対象物の外装表面のうち、平面部分（展開することにより平面となる部分を含む。）の外縁形状のサイズが、画像形成装置１０の給紙部１３に収容されているシートのサイズより大きい場合、次のようにしてもよい。
【０３８６】
画像形成装置１０は、例えば、ＬＡＮを介して、大判のシート（例えば、Ａ２版）に対して、印刷する大判の画像形成装置が接続されている、としてもよい。画像形成装置１０は、外装画像を大判の画像形成装置に送信して、印刷させる、としてもよい。
【０３８７】
また、画像形成装置１０は、給紙部１３に収容されているシートのサイズに合わせて、外装画像を、上下に二分割、左右に二分割、又は、上下左右に四分割し、それぞれ分割して生成された分割画像データを、シート上に印刷してもよい。
【０３８８】
（９）デザインが施される対象物は、当該対象物の外装部材の表面に、平面部分、又は、展開することにより平面となる部分を備えていればよい。例えば、画像形成装置、スマートフォン、パーソナルコンピューター、固定電話機等でもよい。また、オフィス家具等でもよいし、コーヒーポット、マグカップ等でもよい。
【０３８９】
（１０）上述したように、画像形成装置は、マイクロプロセッサーとメモリとを備えたコンピューターシステムである。メモリは、コンピュータープログラムを記憶しており、マイクロプロセッサーは、コンピュータープログラムに従って動作するとしてもよい。
【０３９０】
ここで、コンピュータープログラムは、所定の機能を達成するために、コンピューターに対する指令を示す命令コードが複数個組み合わされて構成されたものである。
【０３９１】
また、コンピュータープログラムは、コンピューター読み取り可能な記録媒体、例えば、フレキシブルディスク、ハードディスク、光ディスク、半導体メモリなどに記録されているとしてもよい。
【０３９２】
また、コンピュータープログラムを、有線又は無線の電気通信回線、インターネットを代表とするネットワーク、データ放送等を経由して伝送してもよい。
【０３９３】
（１１）上記実施の形態及び上記変形例をそれぞれ組み合わせるとしてもよい。
【産業上の利用可能性】
【０３９４】
本発明にかかる印刷装置は、デザインを施す対象物の外装を、その対象物が配されるエリア内に描かれたデザインを取り込んだものとすることができる、という優れた効果を奏し、デザインを施す対象物に貼り付けるため、シート上にデザインを印刷する技術として有用である。
【符号の説明】
【０３９５】
１、１ａ    画像形成システム
１０    画像形成装置
１１    イメージリーダー部
１２    プリンター部
１３    給紙部
１９    操作パネル
１００    主制御部
１０１    ＣＰＵ
１０２    ＲＯＭ
１０３    ＲＡＭ
１０４    画像メモリ
１０５    記憶部
１０６    画像処理部
１０７    ネットワーク通信部
１０８    プリンター制御部
１０９    スキャナー制御部
１１０    入出力部
１１１    表示制御部
１１２    外装画像処理部
１１２ａ  抽出部
１１２ｂ  生成部
１１３    無線通信制御部
１１４    無線通信回路
１１５    アンテナ
１１６    無線通信部
３００    携帯端末
３０１    主制御部
３０２    記憶部
３０３    第一通信回路
３０４    アンテナ
３０５    第一通信制御部
３０６    音声処理部
３０７    スピーカー
３０８    マイクロホン
３０９    入出力制御部
３１０    タッチパネル
３１１    入力部
３１２    アンテナ
３１３    第二通信回路
３１４    第二通信制御部
３１５    第二無線通信部
３１６    第一無線通信部
３１７    カメラ入力部
３１８    カメラ
５００    ヘッドマウントディスプレィ
５０１    ＣＰＵ
５０２    ＲＯＭ
５０３    ＲＡＭ
５０４    表示制御部
５０５    表示部
５０６    操作部
５０７    画像処理部
５０８    カメラ
５０９    カメラ入力部
５１０    アンテナ
５１１    無線通信回路
５１２    無線通信制御部
５１３    無線通信部
５２１    主制御部
５２２    情報記憶部
【図１】
2020121489.tif 000003
【図２】
2020121489.tif 000004
【図３】
2020121489.tif 000005
【図４】
2020121489.tif 000006
【図５】
2020121489.tif 000007
【図６】
2020121489.tif 000008
【図７】
2020121489.tif 000009
【図８】
2020121489.tif 000010
【図９】
2020121489.tif 000011
【図１０】
2020121489.tif 000012
【図１１】
2020121489.tif 000013
【図１２】
2020121489.tif 000014
【図１３】
2020121489.tif 000015
【図１４】
2020121489.tif 000016
【図１５】
2020121489.tif 000017
【図１６】
2020121489.tif 000018
【図１７】
2020121489.tif 000019
【図１８】
2020121489.tif 000020
【図１９】
2020121489.tif 000021
【図２０】
2020121489.tif 000022
【図２１】
2020121489.tif 000023
【図２２】
2020121489.tif 000024
【図２３】
2020121489.tif 000025
【図２４】
2020121489.tif 000026
【図２５】
2020121489.tif 000027
【図２６】
2020121489.tif 000028
【図２７】
2020121489.tif 000029
【図２８】
2020121489.tif 000030
【図２９】
2020121489.tif 000031